(57)【要約】【課題】新規な表示装置、または入出力装置、または情報処理装置、または入出力方法、またはサーバシステム、コンピュータプログラムを提供する。【解決手段】情報処理装置に、表示パネルと、位置情報取得手段と、演算装置と、角度センサと、第１の筐体と、第２の筐体と、ヒンジと、を備える。第１の筐体と、第２の筐体とは、ヒンジを中心に、回転可能に接続され、表示パネルは可撓性を有し、かつ第１の筐体の内部と、第２の筐体の内部と、に収納される。演算装置は、位置情報に基づいて、第１の画像情報を生成する機能を備える。角度センサは演算装置に、筐体と筐体との成す折り曲げ角度情報を供給する。演算装置は、位置情報と、角度情報に基づいて、第２の画像情報を生成する機能を備える。第２の画像情報には、第２の画像と、第２の画像の表示座標とが含まれる。表示パネルは第１の画像情報と、第２の画像情報と、に基づいて表示する機能を備える。【選択図】図１
2018037079.tif 000002
【特許請求の範囲】
【請求項１】
表示部と、撮像手段と、位置情報取得手段と、演算装置と、角度センサと、第１の筐体と、第２の筐体と、ヒンジと、を有し、
第１の筐体と、第２の筐体とは、前記ヒンジを中心に、回転可能に接続され、
前記表示部は可撓性を有し、かつ第１の筐体の内部と、第２の筐体の内部と、に収納され、
前記撮像手段は、撮像情報を供給し、
前記演算装置は、前記撮像情報に基づいて、第１の画像情報を生成する機能を備え、
前記位置情報取得手段は、位置情報を供給し、
前記角度センサは、前記第１の筐体と、前記第２の筐体と、の成す折り曲げ角度を含む、角度情報を供給し、
前記演算装置は、前記位置情報と、前記角度情報に基づいて、第２の画像情報を生成する機能を備え、
前記表示部は前記第１の画像情報と、前記第２の画像情報と、を表示する機能を備える情報処理装置。
【請求項２】
表示部と、位置情報取得手段と、演算装置と、角度センサと、第１の筐体と、第２の筐体と、ヒンジと、を有し、
第１の筐体と、第２の筐体とは、前記ヒンジを中心に、回転可能に接続され、
前記表示部は可撓性を有し、かつ第１の筐体の内部と、第２の筐体の内部と、に収納され、
前記位置情報取得手段は、位置情報を供給し、
前記演算装置は、前記位置情報に基づいて、第１の画像情報を生成する機能を備え、
前記角度センサは、前記第１の筐体と、前記第２の筐体と、の成す折り曲げ角度を含む、角度情報を供給し、
前記演算装置は、前記位置情報と、前記角度情報に基づいて、第２の画像情報を生成する機能を備え、
前記表示部は前記第１の画像情報と、前記第２の画像情報と、を表示する機能を備える情報処理装置。
【請求項３】
請求項１または請求項２において、
前記演算装置は、閾値と、所定の表示座標と、を記憶する機能を有し、
前記演算装置は、前記折り曲げ角度が前記閾値より小さいとき、前記位置情報に基づいて表示座標を決定する機能を備え、
前記演算装置は、前記折り曲げ角度が前記閾値より大きいとき、前記表示座標を前記所定の表示座標に決定する機能を備え、
前記表示部は、前記表示座標に、前記第２の画像情報を表示する情報処理装置。
【請求項４】
請求項１乃至請求項３のいずれか一において、
前記表示部は、画素を備え、
前記画素は、第１の表示素子および第２の表示素子を備え、
前記第１の表示素子は、前記第１の画像情報を表示する機能を備え、
前記第２の表示素子は、前記第２の画像情報を表示する機能を備える、情報処理装置。
【請求項５】
請求項４において、
前記第１の表示素子は、反射型の表示素子であり、
前記第２の表示素子は、発光素子である、情報処理装置。
【請求項６】
請求項１乃至請求項５のいずれか１において、
キーボード、マウス、タッチセンサ、マイク、カメラ、光検出器、姿勢検出器、加速度センサ、方位センサ、ＧＰＳ信号受信回路、圧力センサ、温度センサ、湿度センサのうち１以上を含む情報処理装置。
【請求項７】
ヒンジに接続された２つの筐体同士の成す角度が、閾値より大のとき、
表示部において、所定の画像を、所定の領域に移動する、折り曲げ可能な情報処理装置の入出力方法。
【請求項８】
請求項７において、
前記２つの筐体同士の成す角度が、前記閾値以下のとき、
位置情報を取得するステップと、
前記位置情報に基づいて、前記所定の画像を生成し表示するステップと、
前記位置情報に基づいて、前記所定の画像を消去するステップと、を有する情報処理装置の入出力方法。
【請求項９】
請求項７または請求項８において、
前記所定の領域を指定する入力がされたとき、
前記所定の画像に関連付けられた処理を行う、情報処理装置の入出力方法。
【請求項１０】
第１のステップ乃至第４のステップを備え、
前記第１のステップにおいて、所定の画像が表示されているか判断し、表示されていれば第２のステップに進み、表示されていなければ前記第１のステップに戻り、
前記第２のステップにおいて、ヒンジに接続された２の筐体同士の成す角度を取得し、
第３のステップにおいて、前記角度が閾値以下であるか判断し、閾値以下であれば前記第１のステップに進み、閾値より大であれば前記第４のステップに進み、
前記第４のステップにおいて、前記画像を特定の領域に移動させて表示させ、前記第１のステップに進む、折り曲げ可能な情報処理装置の入出力方法。
【請求項１１】
折り曲げ可能な情報処理装置において、
第１のステップにおいて、所定の画像が表示されているか判断し、表示されていれば第２のステップに進み、表示されていなければ前記第１のステップに戻り、
前記第２のステップにおいて、ヒンジに接続された２の筐体同士の成す角度を取得し、
第３のステップにおいて、前記角度が閾値以下であるか判断し、閾値以下であれば前記第１のステップに進み、閾値より大であれば第４のステップに進み、
前記第４のステップにおいて、前記所定の画像を所定の領域に移動させて表示させ、前記第１のステップに進む、処理を実行させるコンピュータプログラム。
【請求項１２】
請求項１１において、
権限を設定するステップと、
通信手段を通して、指示を送信するステップとを有し、
前記指示は、前記権限の変更を請求し、
前記権限の変更は、前記情報処理装置が折り曲げられる操作による入出力方法、画像生成方法、画像消去方法、または画像移動方法の一部を可能とする、コンピュータプログラム。
【請求項１３】
請求項１２において、
前記権限の変更は、
前記情報処理装置が折り曲げられたときに所定の画像が所定の領域に移動することを可能とする、コンピュータプログラム。
【請求項１４】
請求項１２において、
前記権限の変更は、
所定の画像が移動し表示する個所を操作者によって設定することを可能とする、コンピュータプログラム。
【請求項１５】
請求項１２において、
前記権限の変更は、
前記情報処理装置が折り曲げられたとき所定の画像の生成あるいは消去の判断の停止を可能とする、コンピュータプログラム。
【請求項１６】
請求項１２において、
前記権限の変更は、
情報処理装置が折り曲げられた直後に所定の画像が移動することを可能とする、コンピュータプログラム。
【発明の詳細な説明】
【技術分野】
【０００１】
本発明の一態様は、表示装置、入出力装置、情報処理装置、表示方法、入出力方法、サーバシステム、コンピュータプログラムまたは半導体装置に関する。
【０００２】
なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、発光装置、蓄電装置、記憶装置、それらの駆動方法、または、それらの製造方法、を一例として挙げることができる。
【背景技術】
【０００３】
基板の同一面側に集光手段と画素電極を設け、集光手段の光軸上に画素電極の可視光を透過する領域を重ねて設ける構成を有する液晶表示装置や、集光方向Ｘと非集光方向Ｙを有する異方性の集光手段を用い、非集光方向Ｙと画素電極の可視光を透過する領域の長軸方向を一致して設ける構成を有する液晶表示装置が、知られている（特許文献１）。
【先行技術文献】
【特許文献】
【０００４】
【特許文献１】特開２０１１−１９１７５０号公報
【発明の概要】
【発明が解決しようとする課題】
【０００５】
新規な入出力方法を有する、情報処理装置を提供することを課題の一とする。または、利便性の高い入出力方法を有する、情報処理装置を提供することを課題の一とする。または、新規な情報処理装置、新規な表示方法、新規な入出力装置、新規な入出力方法または新規な半導体装置を提供することを課題の一とする。または、新規なサーバシステムを提供することを課題の一とする。または、新規なコンピュータプログラムを提供することを課題の一とする。
【０００６】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００７】
本発明の一態様の情報処理装置は、表示部と、位置情報取得手段と、演算装置と、角度センサと、第１の筐体と、第２の筐体と、ヒンジと、を有する。第１の筐体と、第２の筐体とは、ヒンジを中心に、回転可能に接続され、表示部は可撓性を有し、かつ第１の筐体の内部と、第２の筐体の内部と、に収納される。位置情報取得手段は演算装置に、位置情報を供給し、演算装置は、位置情報に基づいて、第１の画像情報を生成する機能を備える。角度センサは演算装置に、第１の筐体と、第２の筐体と、の成す折り曲げ角度を含む、角度情報を供給する。演算装置は、位置情報と、角度情報に基づいて、第２の画像情報を生成する機能を備える。第２の画像情報には、第２の画像と、第２の画像の表示座標とが含まれる。表示パネルは第１の画像情報と、第２の画像情報と、に基づいて表示する機能を備える。
【０００８】
上記構成において、演算装置は、閾値と、所定の表示座標と、を記憶する機能を有すると好ましい。演算装置は、折り曲げ角度が閾値より小さいとき、位置情報に基づいて第２の画像の表示座標を決定する機能を備え、演算装置は、折り曲げ角度が閾値より大きいとき、第２の画像の表示座標を所定の表示座標に決定する機能を備えると好ましい。
【０００９】
上記各構成において、表示部は、画素を備え、画素は、第１の表示素子および第２の表示素子を備え、第１の表示素子は、第１の画像情報に基づいて表示する機能を備え、第２の表示素子は、第２の画像情報に基づいて表示する機能を備えると好ましい。また第１の表示素子は、反射型の表示素子であり、第２の表示素子は、発光素子である、と好ましい。
【００１０】
上記各構成において、タッチセンサ、キーボード、ハードウェアボタン、ポインティングデバイス、照度センサ、音声入力装置、視点入力装置、のうち一以上を含むと好ましい。
【００１１】
本発明の一態様の入出力方法は、折り曲げ可能な情報処理装置において、ヒンジに接続された２の筐体同士の成す角度が、閾値以下のとき、画像の生成あるいは消去を決定し、表示パネルに表示するステップと、ヒンジに接続された２の筐体同士の成す角度が、閾値より大のとき、前記画像を、表示パネルの所定の位置に移動し表示するステップと、を有する。この構成において、画像が所定の位置に表示された後に、画像が表示された領域のタッチパネルから検知情報が入力されたとき、画像に関連付けられた処理を行うと好ましい。
【００１２】
上記構成において、第１のステップ乃至第５のステップを備え、第１のステップにおいて、ヒンジに接続された２の筐体同士の成す角度を取得し、第２のステップにおいて、画像が演算装置により作成されているか判断し、作成されていれば第３のステップに進み、作成されていなければ第１のステップに進み、第３のステップにおいて、角度を取得し、第４のステップにおいて、角度が閾値以下であるか判断し、閾値以下であれば第１のステップに進み、閾値より大であれば第５のステップに進み、第５のステップにおいて画像を特定の位置に移動させて表示させ、第１のステップに進む、折り曲げ可能な情報処理装置の入出力方法であっても良い。また、このような入出力方法を折り曲げ可能な情報処理装置に実行させるコンピュータプログラムでもよい。
【００１３】
本発明の一態様のサーバシステムは、操作者が操作する情報処理装置と通信可能に構成され、情報処理装置の有するヒンジに接続された２の筐体同士の成す角度情報、入出力方法、画像生成方法、画像消去方法、画像移動方法、課金額、によって定められる、操作者の操作する情報処理装置における制限を、情報処理装置との通信に基づいて設定する設定手段と、情報処理装置との通信に基づいて設定する設定手段と、情報処理装置から制限の解除依頼を受信した場合に、情報処理装置との通信に基づいて、制限を緩和する制御を行う緩和制御手段と、を備える。
【００１４】
情報処理装置を屋外で使用し、特に歩行中に入出力する場合、繊細な操作をすることが難しい。本発明の一態様の情報処理装置は、操作者が歩行中に情報処理装置を折り曲げるという、大きな動作を伴う操作により選択範囲を狭めた後、操作者が立ち止まって画像が表示された領域のタッチパネルから入力するという、繊細な入力をすることができる。本発明の一態様の情報処理装置は、角度センサによる新規な入出力方法を有することで、このような利便性の高い、情報処理装置を作製することができる。
【００１５】
本明細書に添付した図面では、構成要素を機能ごとに分類し、互いに独立したブロックとしてブロック図を示しているが、実際の構成要素は機能ごとに完全に切り分けることが難しく、一つの構成要素が複数の機能に係わることもあり得る。
【００１６】
本明細書においてトランジスタが有するソースとドレインは、トランジスタの極性及び各端子に与えられる電位の高低によって、その呼び方が入れ替わる。一般的に、ｎチャネル型トランジスタでは、低い電位が与えられる端子がソースと呼ばれ、高い電位が与えられる端子がドレインと呼ばれる。また、ｐチャネル型トランジスタでは、低い電位が与えられる端子がドレインと呼ばれ、高い電位が与えられる端子がソースと呼ばれる。本明細書では、便宜上、ソースとドレインとが固定されているものと仮定して、トランジスタの接続関係を説明する場合があるが、実際には上記電位の関係に従ってソースとドレインの呼び方が入れ替わる。
【００１７】
本明細書においてトランジスタのソースとは、活性層として機能する半導体膜の一部であるソース領域、或いは上記半導体膜に接続されたソース電極を意味する。同様に、トランジスタのドレインとは、上記半導体膜の一部であるドレイン領域、或いは上記半導体膜に接続されたドレイン電極を意味する。また、ゲートはゲート電極を意味する。
【００１８】
本明細書においてトランジスタが直列に接続されている状態とは、例えば、第１のトランジスタのソースまたはドレインの一方のみが、第２のトランジスタのソースまたはドレインの一方のみに接続されている状態を意味する。また、トランジスタが並列に接続されている状態とは、第１のトランジスタのソースまたはドレインの一方が第２のトランジスタのソースまたはドレインの一方に接続され、第１のトランジスタのソースまたはドレインの他方が第２のトランジスタのソースまたはドレインの他方に接続されている状態を意味する。また、本明細書中において、トランジスタの第１の電極または第２の電極の一方がソース電極を、他方がドレイン電極を指す。
【００１９】
本明細書において接続とは、電気的な接続を意味しており、電流、電圧または電位が、供給可能、或いは伝送可能な状態に相当する。従って、接続している状態とは、直接接続している状態を必ずしも指すわけではなく、電流、電圧または電位が、供給可能、或いは伝送可能であるように、配線、抵抗、ダイオード、トランジスタなどの回路素子を介して間接的に接続している状態も、その範疇に含む。
【００２０】
本明細書において回路図上は独立している構成要素どうしが接続されている場合であっても、実際には、例えば配線の一部が電極として機能する場合など、一の導電膜が、複数の構成要素の機能を併せ持っている場合もある。本明細書において接続とは、このような、一の導電膜が、複数の構成要素の機能を併せ持っている場合も、その範疇に含める。
【発明の効果】
【００２１】
本発明の一態様によれば、新規な入出力方法を有する、情報処理装置を提供することができる。または、本発明の一態様は、利便性の高い入出力方法を有する、情報処理装置を提供することができる。または、新規な情報処理装置、新規な表示装置、新規な入出力装置、新規な入出力方法、新規なサーバシステム、新規なコンピュータプログラムまたは新規な半導体装置を提供することができる。
【００２２】
なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００２３】
【図１】実施の形態に係る情報処理装置を示す平面図と側面図。
【図２】実施の形態に係る情報処理装置が作成する画像を示す図。
【図３】実施の形態に係る入出力方法のフローチャートと入出力パネルの構成を示す図。
【図４】実施の形態に係る情報処理装置を示す平面図。
【図５】実施の形態に係る情報処理装置を示す平面図。
【図６】実施の形態に係るタッチパネルの平面図。
【図７】実施の形態に係るタッチパネルの構造を説明する上面図。
【図８】実施の形態に係るタッチパネルの斜視図。
【図９】実施の形態に係るタッチパネルの断面図。
【図１０】実施の形態に係る表示装置の構成を説明するブロック図。
【図１１】実施の形態に係る情報処理装置の表示部の構成を説明するブロック図。
【図１２】実施の形態に係る表示装置に用いることができる表示パネルの構成を説明する図。
【図１３】実施の形態に係る表示装置に用いることができる表示パネルの構成を説明する断面図。
【図１４】実施の形態に係る表示装置に用いることができる表示パネルの構成を説明する断面図。
【図１５】実施の形態に係る表示装置に用いることができる表示パネルの構成を説明する下面図。
【図１６】実施の形態に係る表示装置に用いることができる表示パネルの画素回路を説明する回路図。
【図１７】実施の形態に係る表示装置に用いることができる画素の反射膜の形状を説明する模式図。
【図１８】実施の形態に係る入出力装置に用いることができる入力部の構成を説明するブロック図。
【図１９】実施の形態に係る入出力装置に用いることができる入出力パネルの構成を説明する図。
【図２０】実施の形態に係る入出力装置に用いることができる入出力パネルの構成を説明する断面図。
【図２１】実施の形態に係る入出力装置に用いることができる入出力パネルの構成を説明する断面図。
【図２２】実施の形態に係る情報処理装置の構成を説明するブロック図および投影図。
【図２３】実施の形態に係る情報処理装置の駆動方法を説明するフロー図。
【図２４】実施の形態に係る情報処理装置の駆動方法を説明するフロー図。
【図２５】実施の形態に係る電子機器について示す図。
【図２６】実施の形態に係るサーバシステムについて示す図。
【発明を実施するための形態】
【００２４】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００２５】
本発明の一態様は、表示部と、位置情報取得手段と、演算装置と、角度センサと、を有する情報処理装置である。表示部は可撓性を有する。本発明の一態様の情報処理装置は、特に表示部と、タッチセンサを備えるタッチパネルを有すると好ましい。また撮像手段を有すると好ましい。また通信手段を有すると好ましい。
【００２６】
（実施の形態１）
本実施の形態では、本発明の一態様の、情報処理装置の構成について図１乃至図５を参照しながら説明する。
【００２７】
本発明の一態様の情報処理装置は、タッチパネルと、撮像手段と、を有する。タッチパネルは表示部と、タッチセンサを有する。
【００２８】
情報処理装置は、上記タッチパネルであるパネル基板１０１、第１の筐体１０４−１、第２の筐体１０４−２、第３の筐体１０４−３、ヒンジ１０５−１、ヒンジ１０５−２、を有する。パネル基板１０１は可撓性を有する。操作者は、ヒンジ１０５−１の軸を中心に、第１の筐体１０４−１、第２の筐体１０４−２を回転させる操作をすることができる。またはヒンジ１０５−２の軸を中心に、第２の筐体１０４−２、第３の筐体１０４−３を回転させる操作をすることができる。筐体同士を回転させる操作は、情報処理装置の操作者が、筐体を支持して手動で行うことができる。操作者はこの操作により、情報処理装置を曲げた（折り曲げた）状態、または伸ばした状態とすることができる。
【００２９】
第１の筐体１０４−１、第２の筐体１０４−２、第３の筐体１０４−３のそれぞれの内部には、スリット１０８−１、スリット１０８−２、スリット１０８−３が設けられる。この各スリット内に、パネル基板１０１が収納される。
【００３０】
情報処理装置は、カメラ１１３を例とした撮像手段を有する。さらに、ＧＰＳ（全地球測位システム）を例とした、位置情報取得手段を有する。位置情報取得手段は、情報処理装置の位置情報と、情報処理装置の筐体の方位情報を取得し演算装置に供給することができる。また情報処理装置は角度センサを有し、２以上の筐体を有し、筐体と筐体との角度情報を取得し供給することができる。また情報処理装置は、これらの情報を基に表示方法を制御する演算装置を有する。
【００３１】
図１（Ａ）は本発明の一態様の折り曲げ可能な情報処理装置を伸ばした状態を示す平面図である。図１（Ｂ）は図１（Ａ）の状態の情報処理装置の側面図である。図１（Ｃ）は情報処理装置をヒンジ１０５−１の軸、及びヒンジ１０５−２の軸を中心に、曲げた（折り曲げた）状態を示す平面図である。図１（Ｄ）は図１（Ｃ）の状態の情報処理装置の側面図である。
【００３２】
ヒンジ１０５−１、ヒンジ１０５−２、にはそれぞれ角度センサを有し、第１の筐体１０４−１と第２の筐体１０４−２との成す角度、第２の筐体１０４−２と第３の筐体１０４−３との成す角度、すなわち角度情報を検知することができる。本明細書中では上記角度を折り曲げ角度とも呼ぶ。
【００３３】
図１（Ａ）に示された、情報処理装置を伸ばした状態とは、具体的には、第１の筐体１０４−１と第２の筐体１０４−２との成す角度と、第２の筐体１０４−２と第３の筐体１０４−３との成す角度と、はいずれも一定の閾値以下である状態を意味する。図１（Ｃ）に示された、情報処理装置を曲げた状態とは、具体的には、第１の筐体１０４−１と第２の筐体１０４−２との成す角度と、第２の筐体１０４−２と第３の筐体１０４−３との成す角度と、のいずれか１もしくは両方が、一定の閾値より大である状態を意味する。
【００３４】
情報処理装置は、パネル基板１０１の表示部に、カメラ１１３で撮像した第１の画像１２１と、演算装置が作成した第２の画像１２２とを表示させることができる。パネル基板１０１の表示部において、第２の画像１２２が表示されたとき、第２の画像１２２の表示部における座標を第２の画像の表示座標と呼ぶ。
【００３５】
情報処理装置の有する演算装置は、上記のように角度情報を基に表示方法を制御しつつ、位置情報取得手段から得られる位置情報を基に第２の画像１２２を作成することができる。他にも演算装置は、情報処理装置の取得する時刻、照度、等の環境情報や、操作者のタッチセンサへの入力情報等を基に、第２の画像１２２を作成することができる。他にも演算装置は、情報処理装置が有する通信手段から得られる情報を基に、第２の画像１２２を作成することができる。また演算装置は、上記各情報を基に、第２の画像の表示座標を決定することができる。第２の画像の表示座標は、情報処理装置の位置情報と、情報処理装置の筐体の方位情報と、に対応したものとすることができる。または、第２の画像１２２と、第２の画像の表示座標とは、それぞれ上記以外の情報を基に生成されても良い。
【００３６】
第１の画像１２１の例は、情報処理装置の有するカメラ１１３で撮像されていることから、情報処理装置の操作者が表示部以外で、かつその場で視認可能な風景１２１Ａもしくは物とすることができる（図２（Ａ）参照）。または、位置情報取得手段から得られる位置情報を基に作製される地図１２１Ｂとすることができる（図２（Ｂ）参照）。この地図に、操作者の現在地を示すような記号１２１Ｃを表示すると好ましい。またこの地図は、航空写真を用いることができると好ましい。
【００３７】
一方、第２の画像１２２の例としては、情報処理装置の演算装置が生成したものであり、情報処理装置の操作者が表示部のみで視認することが出来る。第２の画像１２２は、例えば図形１２２Ａとすることができる（図２（Ｃ）参照）。または、文字情報が入っている図形１２２Ｂとしても良い（図２（Ｄ）参照）。
【００３８】
このとき例えば、第２の画像１２２がある位置に配置されるように、撮像した第１の画像１２１と重ねてパネル基板１０１の表示部に表示することができる（図１（Ａ）参照）。すなわち、情報処理装置の位置あるいは方位を変えると、第２の画像１２２はパネル基板１０１の表示部上にて第２の画像１２２の表示座標が変わりつつ表示される。
【００３９】
さらに上記の表示する方法に加えて、上記角度情報を基に、第２の画像１２２を表示させることができる。例えば、角度がある閾値を超えたとき、情報処理装置の位置あるいは方位を変えても、第２の画像１２２の中心を、パネル基板１０１の表示部上の所定の表示座標として表示される（図１（Ｃ）参照）。
【００４０】
演算装置は、筐体と筐体とが成す角度に関する閾値と、所定の表示座標と、を記憶する機能を有する。
【００４１】
カメラ１１３で撮像した第１の画像１２１は、情報処理装置を伸ばした状態で表示される画像（図１（Ａ）参照）を基準とし、情報処理装置の位置あるいは方位が変わらない限り、情報処理装置を曲げた状態でもパネル基板１０１に対して同じ表示がされる（図１（Ｃ）参照）。
【００４２】
このような構成の情報処理装置は、筐体と筐体とが成す角度の状態により、入出力方法を切り替えることができる。
【００４３】
例えば、情報処理装置を伸ばした状態にて、第２の画像１２２を生成すること、あるいは消去すること、がいずれも可能な状態とする。
【００４４】
一方、情報処理装置を曲げた状態にて、上記の第２の画像１２２の生成あるいは消去の判断を停止し、直前に表示された第２の画像１２２を表示部上の所定の位置に表示する状態とする。言い換えれば、操作者が情報処理装置を曲げた状態とすることにより、第２の画像１２２を直前に表示された位置から所定の位置へと移動させることができる。
【００４５】
角度情報を基に第２の画像１２２の表示方法を決定できる、新規、または利便性に優れた入出力方法の一例をフローチャートに示す（図３（Ａ）参照）。
【００４６】
このフローチャートに示される入出力方法は、本発明の一態様の情報処理装置の有する演算装置２１０の指示により実行される（図３（Ｂ）参照）。演算装置２１０は、非一時的コンピュータ読み取り可能な記憶媒体（ｎｏｎ−ｔｒａｎｓｉｔｏｒｙ  ｃｏｍｐｕｔｅｒ−ｒｅａｄａｂｌｅ  ｓｔｏｒａｇｅ  ｍｅｄｉｕｍ）に格納されたコンピュータプログラムを読み取り、入出力方法を指示する。
【００４７】
本発明の一態様の情報処理装置の有する演算装置２１０は、入出力装置２２０の有する検知部が備える撮像手段２５０Ａで取得した第１の画像１２１を、検知情報ＳＥ１として取得する機能を有する（図３（Ｂ）参照）。また演算装置２１０は、入出力装置２２０の有する検知部が備える位置情報取得手段で取得した位置情報を検知情報ＳＥ２として、また入出力装置２２０の有する検知部が備える角度センサ２５０Ｂで取得した角度情報を検知情報ＳＥ３として、取得する機能を有する。他の情報取得手段から情報を取得する機能を有していても良い。すなわちこの検知情報ＳＥ１には、カメラ１１３が撮像した第１の画像１２１の情報を含む（図１（Ａ）参照）。
【００４８】
本発明の一態様の情報処理装置の有する演算装置２１０は、画像情報Ｖ１、あるいは画像情報Ｖ２を生成する機能と、画像情報Ｖ１、あるいは画像情報Ｖ２、を入出力装置２２０に供給する機能と、を備える（図３（Ｂ）参照）。
【００４９】
カメラ１１３が第１の画像１２１を撮像しているとき、演算装置２１０には第１の画像１２１に基づいた撮像情報が供給され、撮像情報を基に画像情報Ｖ１が生成される。そして入出力装置２２０に画像情報Ｖ１が供給され、入出力装置２２０の有する表示部２３０に第１の画像１２１が表示される。また演算装置２１０が第２の画像１２２を作成したとき、第２の画像１２２を基に演算装置２１０によって画像情報Ｖ２が生成される。そして入出力装置２２０に画像情報Ｖ２が供給され、入出力装置２２０の有する表示部２３０に第２の画像１２２が表示される。
【００５０】
演算装置２１０は、まず情報処理装置を伸ばした状態（図１（Ａ）参照）か、曲げた状態か（図１（Ｃ）参照）を角度センサから角度情報を読み込む（図３（Ａ）（Ｔ１）参照）。
【００５１】
演算装置２１０は、ここで角度が既定の閾値より小さいものであれば、情報処理装置を伸ばされた状態と判断する（図３（Ａ）（Ｔ２）参照）。情報処理装置を曲げた状態すなわち角度が閾値より大きい場合、表示部に筐体同士が成す角度を閾値以下にする指示を表示する（図３（Ａ）（Ｔ３）参照）。
【００５２】
演算装置２１０は、情報処理装置を伸ばした状態であれば、第２の画像１２２は演算装置２１０により作成されたか判断する（図３（Ａ）（Ｔ４）参照）。もし第２の画像１２２が作成されている場合、第２の画像１２２はパネル基板１０１の表示部上にて、情報処理装置の位置情報と、情報処理装置の筐体の方位情報と、に対応した第２の画像１２２の表示座標において表示される。
【００５３】
演算装置２１０は、ここで、情報処理装置を伸ばした状態から曲げた状態へと操作したか、角度情報を取得し（図３（Ａ）（Ｔ５）参照）判断する（図３（Ａ）（Ｔ６）参照）。もし情報処理装置が伸ばした状態で維持されていれば、第２の画像１２２が表示されているか判断する状態に戻る（図３（Ａ）（Ｔ４）参照）か、開始に戻り、角度情報の読み込みを行う（図３（Ａ）（Ｔ１）参照）。もし情報処理装置が伸ばした状態から曲げた状態へと操作された場合、第２の画像１２２はパネル基板１０１の表示部上の所定の表示座標にて表示され（図３（Ａ）（Ｔ７）参照）、開始に戻る。
【００５４】
また情報処理装置の使用開始直後の、筐体同士の成す角度を閾値とすることもできる。この場合、角度センサから読み込んだ角度と上記閾値との比較を行う手順（図３（Ａ）点線内参照）を省略する。そして、最初に角度センサから読み込んだ角度を閾値とし、第２の画像１２２が表示された後で角度情報を取得し、上記角度情報が含む角度を上記閾値と比較する（図３（Ａ）（Ｔ６）参照）。上記角度情報が含む角度の方が上記閾値より大きい場合は、第２の画像１２２はパネル基板１０１の表示部上の所定の表示座標にて表示され（図３（Ａ）（Ｔ７）参照）、開始に戻る。
【００５５】
上記フローチャートに示される手順の間、表示部２３０に第１の画像１２１を表示することができる。
【００５６】
このような構成の情報処理装置においては、例えば次のような入出力操作が可能である。すなわち、操作者が手動で情報処理装置を伸ばした状態で、情報処理装置を移動させる等の任意の手段により、第２の画像１２２をパネル基板１０１の表示部の任意の第２の画像１２２の表示座標にて表示させる（図４（Ａ）参照）。次いで操作者が手動で情報処理装置をヒンジ１０５−１の軸と、ヒンジ１０５−２の軸との両方、あるいは何れか片方、を中心に、曲げた状態とすることで、第２の画像１２２を所定の表示座標に表示し、かつ選択された状態とする（図４（Ｂ）参照）。次いで、画面上のタッチパネルで、任意の操作をすることで、第２の画像１２２に関連付けられた処理を行うことができる（図４（Ｃ）参照）。
【００５７】
操作者が情報処理装置を移動させるとき、操作者は歩行するなど、情報処理装置の支持が不安定な状態となる。この状態で、特定の時期に入力が要求される場合、精度の高い操作は困難である。そこで、情報処理装置を折り曲げるという入力方法は高い精度は要求されないため、入力方法として有効である。この入力により所望の状態を維持し、操作者が次に立ち止まる等安定した姿勢にて、より精度の要求される操作をする。このような一連の操作により、不安定な状態でも、精度の高い入力をすることが可能となる。
【００５８】
また情報処理装置において、例えば次のような入出力操作が可能である。すなわち、情報処理装置を伸ばした状態で、情報処理装置を移動させる等の任意の手段により、第２の画像１２２をパネル基板１０１の表示部の任意の第２の画像１２２の表示座標にて表示させる。次いで情報処理装置をヒンジ１０５−１の軸と、ヒンジ１０５−２の軸との両方、あるいは何れか片方、を中心に、曲げた状態とすることで、第２の画像１２２が、曲げた状態にあるヒンジの軸付近を超えられないように制限され表示される。次いで、画面上のタッチパネルで、任意の操作をすることで、第２の画像１２２に関連付けられた処理を行うことができる。
【００５９】
また情報処理装置において、例えば次のような入出力操作が可能である。すなわち、情報処理装置を伸ばした状態で、情報処理装置を移動させる等の任意の手段により、複数の第２の画像１２２を表示させる（図５（Ａ）参照）。次いで情報処理装置をヒンジ１０５−１の軸と、ヒンジ１０５−２の軸との両方、あるいは何れか片方、を中心に、曲げた状態とすることで、複数の第２の画像１２２を所定の表示座標に表示する（図５（Ｂ）参照）。次いで、画面上のタッチパネルで、任意の操作をすることで、各第２の画像１２２に関連付けられた処理を行うことができる（図５（Ｃ）参照）。
【００６０】
上記の所定の表示座標とは、例えば第２の筐体と重なる表示部内に限定することができる（図１（Ｂ）参照）。
【００６１】
また、任意の操作とは、一例として第２の画像１２２が表示された領域のタッチパネルに触れてその領域を指定することで、触れている領域をポインタに用いて様々なジェスチャー（タップ、ドラッグ、スワイプまたはピンチイン等）とすることを指す。また、上記第２の画像１２２に関連付けられた処理とは、一例として、アプリケーションを起動する、機能を呼び出す、等が挙げられる。
【００６２】
より具体的には、上記入出力操作をゲームのソフトウェア上で使用する場合が想定される。例えば操作者が歩行中に第２の画像１２２の出現を確認して情報処理装置を折り曲げて、第２の画像１２２を画面中に留め、立ち止まって後に第２の画像１２２の表示上をタップすることで、所定の得点もしくは追加コンテンツが第２の画像１２２の種類によって得られる、等が挙げられる。
【００６３】
第２の画像１２２はキャラクターを像ったものでも良い。また、情報処理装置を伸ばした状態では第２の画像１２２は表示部内で絶えず移動し、または演算装置２１０の判断により消失しても良い。一方、情報処理装置を曲げた状態では、生成された第２の画像１２２が所定の場所に留まって表示されてもよい。
【００６４】
上記情報処理装置を曲げた状態での入出力操作では、表示部の、より狭い領域に第２の画像１２２を集約して表示することができるため、タッチパネルでの操作の必要範囲が狭くなることから、操作が容易となる。また、表示部上で第２の画像１２２が表示されたとき情報処理装置を曲げる操作は、曲げた部分に境界を作ることから、操作者に第２の画像１２２の出現範囲を狭める操作を連想させることができ、該対象を選択する操作をより直観的に行わせることが可能となる。
【００６５】
本発明の一態様の情報処理装置について、パネル基板１０１の表示部の全面に、タッチセンサを設けることが好ましいが、第２の画像１２２を第２の筐体１０４−２のスリットに位置するパネル基板１０１のみに表示させることで、第２の筐体１０４−２のスリットに位置するパネル基板１０１のタッチセンサのみ入力可能としても良い。
【００６６】
上記情報処理装置を曲げた状態での入出力操作は、直観的な選択方法としてタッチパネルでの入力が好ましい。但しタッチパネル以外にも、情報処理装置の有するスイッチ、光検出器、姿勢検出器、加速度センサ、等あらゆる入力手段にて代替しても良い。
【００６７】
本発明の一態様の情報処理装置は、筐体を２、または４以上有する構成としても良い。この構成の情報処理装置においても、情報処理装置を折り曲げたとき、第２の画像１２２をいずれか１の筐体のスリットに配設された表示パネルの表示部に表示することで、上記入出力方法が可能となる。
【００６８】
このような新規な入出力方法を備える構成とすることにより、操作性が向上し、利便性に優れた情報処理装置を提供することができる。または、操作者が位置情報に関連付けられた第２の画像１２２を選択するため、情報処理装置を折り曲げる入力手段を追加されたことで、操作性が向上され、利便性に優れた情報処理装置を提供することができる。
【００６９】
（実施の形態２）
本実施の形態では、本発明の一態様の、情報処理装置の構成について説明する。
【００７０】
＜パネル基板の上面図の説明＞
他の実施の形態で示される、パネル基板１０１として用いることのできる一例として、タッチパネル３００と、あるいはタッチパネル４００と、を示す（図６（Ａ）、図６（Ｂ）参照）。タッチパネル３００、タッチパネル４００はそれぞれ表示部３０１を有する。
【００７１】
表示部３０１は、複数の画素３０２と複数の撮像画素３０８を備える。撮像画素３０８は表示部３０１に触れる指等を検知することができる。これにより、撮像画素３０８を用いてタッチセンサを構成することができる。
【００７２】
画素３０２は、複数の副画素（例えば副画素３０２Ｒ）を備え、副画素は発光素子および発光素子を駆動する電力を供給することができる画素回路を備える。
【００７３】
画素回路は、選択信号を供給することができる配線および画像信号を供給することができる配線と、電気的に接続される。
【００７４】
図６（Ａ）に示されるタッチパネル３００は、インセル型の回路である、選択信号を画素３０２に供給することができる走査線駆動回路３０３ｇ（１）と、画像信号を画素３０２に供給することができる画像信号線駆動回路３０３ｓ（１）とを有する。また図６（Ｂ）に示されるタッチパネル４００は、選択信号を画素３０２に供給することができる走査線駆動回路と、画像信号を画素３０２に供給することができる画像信号線駆動回路とを、それぞれＣＯＧ法を用いて設ける場合において、ソケット１０９が配置される領域４０１（１）と領域４０１（２）とを有する。
【００７５】
撮像画素３０８は、光電変換素子および光電変換素子を駆動する撮像画素回路を備える。
【００７６】
撮像画素回路は、制御信号を供給することができる配線および電源電位を供給することができる配線と電気的に接続される。
【００７７】
制御信号としては、例えば記録された撮像信号を読み出す撮像画素回路を選択することができる信号、撮像画素回路を初期化することができる信号、および撮像画素回路が光を検知する時間を決定することができる信号などを挙げることができる。
【００７８】
タッチパネル３００、タッチパネル４００は制御信号を撮像画素３０８に供給することができる撮像画素駆動回路３０３ｇ（２）を備える。タッチパネル３００は撮像信号を読み出す撮像信号線駆動回路３０３ｓ（２）を備える。
【００７９】
タッチパネル３００、タッチパネル４００は、それぞれ線分４０６、線分４０７、線分４０８で示される付近の領域で折り曲げられる。タッチパネル３００、タッチパネル４００は、線分４０６は端部１１１付近にて、線分４０７はヒンジ１０５−１付近にて、線分４０８はヒンジ１０５−２付近にて折り曲げられる。前記折り曲げが成される領域をそれぞれ湾曲部としたとき、線分４０６、線分４０７を含むそれぞれの湾曲部のパネル基板に対する位置はほぼ同じであるが、線分４０８を含む湾曲部は、ヒンジ１０５−１による折り曲げの状態によりパネル基板に対する位置が変わる。
【００８０】
タッチパネル３００は、画像信号線駆動回路３０３ｓ（１）、撮像信号線駆動回路３０３ｓ（２）が配置される領域と、表示部分との間の線分４０６にて折り曲げられる（図６（Ａ）参照）。タッチパネル４００は、領域４０１（１）と領域４０１（２）とが配置される領域と、表示部分との間に線分４０６が位置する。このような線分４０６の配置により、第１の筐体１０４−１の第２の部分１０４−１Ｂの上面から投影した面積を小さくし、かつタッチパネル３００においては画像信号線駆動回路３０３ｓ（１）と、撮像信号線駆動回路３０３ｓ（２）との面積、タッチパネル４００においては領域４０１（１）と領域４０１（２）との面積、を大きくすることができる。
【００８１】
図７（Ａ）は本発明の一態様の情報処理装置に適用可能なタッチパネルの構造を説明する上面図である。図７（Ａ）にて各部分は、図６（Ａ）に対応している。
【００８２】
図７（Ｂ）は図７（Ａ）の切断線Ａ−Ｂおよび切断線Ｃ−Ｄにおける断面図である。
【００８３】
図７（Ｃ）は図７（Ａ）の切断線Ｅ−Ｆにおける断面図である。
【００８４】
＜断面図の説明＞
タッチパネル３００は、基板３１０および基板３１０に対向する対向基板３７０を有する（図７（Ｂ）参照）。
【００８５】
基板３１０および対向基板３７０に可撓性を有する材料を適用することにより、可撓性をタッチパネル３００に付与することができる。
【００８６】
なお、可撓性を有するタッチパネル３００を変形すると、タッチパネル３００に設けられた機能素子は応力を受ける。機能素子を基板３１０と対向基板３７０のおよそ中央に配置すると機能素子の変形を抑制することができ好ましい。
【００８７】
また、線膨張率がおよそ等しい材料を基板３１０および対向基板３７０に用いると好ましい。材料の線膨張率の差は１×１０−３／Ｋ以下、好ましくは５×１０−５／Ｋ以下、より好ましくは１×１０−５／Ｋ以下であるとよい。
【００８８】
例えば、ポリエステル、ポリオレフィン、ポリアミド（ナイロン、アラミド等）、ポリイミド、ポリカーボネート、ポリウレタン、アクリル樹脂、エポキシ樹脂、もしくはシリコーンなどのシロキサン結合を有する樹脂を含む材料を基板３１０および対向基板３７０に用いることができる。
【００８９】
基板３１０は、可撓性を有する基板３１０ｂ、不純物の発光素子への拡散を防ぐバリア膜３１０ａおよび基板３１０ｂとバリア膜３１０ａを貼り合わせる樹脂層３１０ｃが積層された積層体である。
【００９０】
対向基板３７０は、可撓性を有する基材３７０ｂ、不純物の発光素子への拡散を防ぐバリア膜３７０ａおよび基材３７０ｂとバリア膜３７０ａを貼り合わせる樹脂層３７０ｃの積層体である（図７（Ｂ）参照）。
【００９１】
封止材３６０は対向基板３７０と基板３１０を貼り合わせている。また、封止材３６０は空気より大きい屈折率を備え、光学的に接合する機能を有する層を兼ねる。画素回路および発光素子（例えば第１の発光素子３５０Ｒ）は基板３１０と対向基板３７０の間にある。
【００９２】
＜画素の構成＞
画素３０２は、副画素３０２Ｒ、副画素３０２Ｇおよび副画素３０２Ｂを有する（図７（Ｃ）参照）。また、副画素３０２Ｒは発光モジュール３８０Ｒを備え、副画素３０２Ｇは発光モジュール３８０Ｇを備え、副画素３０２Ｂは発光モジュール３８０Ｂを備える。
【００９３】
例えば副画素３０２Ｒは、第１の発光素子３５０Ｒおよび第１の発光素子３５０Ｒに電力を供給することができるトランジスタ３０２ｔを含む画素回路を備える（図７（Ｂ）参照）。また、発光モジュール３８０Ｒは第１の発光素子３５０Ｒおよび光学素子（例えば第１の着色層３６７Ｒ）を備える。
【００９４】
第１の発光素子３５０Ｒは、第１の下部電極３５１Ｒ、上部電極３５２、第１の下部電極３５１Ｒと上部電極３５２の間に発光性の有機化合物を含む層３５３を有する（図７（Ｃ）参照）。
【００９５】
発光性の有機化合物を含む層３５３は、発光ユニット３５３ａ、発光ユニット３５３ｂおよび発光ユニット３５３ａと発光ユニット３５３ｂの間に中間層３５４を備える。
【００９６】
発光モジュール３８０Ｒは、第１の着色層３６７Ｒを対向基板３７０に有する。着色層は特定の波長を有する光を透過するものであればよく、例えば赤色、緑色または青色等を呈する光を選択的に透過するものを用いることができる。または、発光素子の発する光をそのまま透過する領域を設けてもよい。
【００９７】
例えば、発光モジュール３８０Ｒは、第１の発光素子３５０Ｒと第１の着色層３６７Ｒに接する封止材３６０を有する。
【００９８】
第１の着色層３６７Ｒは第１の発光素子３５０Ｒと重なる位置にある。これにより、第１の発光素子３５０Ｒが発する光の一部は、光学的に接合する機能を有する層を兼ねる封止材３６０および第１の着色層３６７Ｒを透過して、図中の矢印に示すように発光モジュール３８０Ｒの外部に射出される。本発明の一態様の情報処理装置は、この矢印の方向に、第１のフィルム１０２を有する。
【００９９】
＜表示パネルの構成＞
タッチパネル３００は、遮光層３６７ＢＭを対向基板３７０に有する。遮光層３６７ＢＭは、着色層（例えば第１の着色層３６７Ｒ）を囲むように設けられている。
【０１００】
タッチパネル３００は、反射防止層３６７ｐを表示部３０１に重なる位置に備える。反射防止層３６７ｐとして、例えば円偏光板を用いることができる。
【０１０１】
タッチパネル３００は、絶縁膜３２１を備える。図７（Ｂ）にて絶縁膜３２１はトランジスタ３０２ｔを覆っている。なお、絶縁膜３２１は画素回路に起因する凹凸を平坦化するための層として用いることができる。また、不純物のトランジスタ３０２ｔ等への拡散を抑制することができる層が積層された絶縁膜を、絶縁膜３２１に適用することができる。
【０１０２】
タッチパネル３００は、発光素子（例えば第１の発光素子３５０Ｒ）を絶縁膜３２１上に有する。
【０１０３】
タッチパネル３００は、第１の下部電極３５１Ｒの端部に重なる隔壁３２８を絶縁膜３２１上に有する（図７（Ｃ）参照）。また、基板３１０と対向基板３７０の間隔を制御するスペーサ３２９を、隔壁３２８上に有する。
【０１０４】
＜画像信号線駆動回路の構成＞
画像信号線駆動回路３０３ｓ（１）は、トランジスタ３０３ｔおよび容量３０３ｃを含む。なお、駆動回路は画素回路と同一の工程で同一基板上に形成することができる。
【０１０５】
＜撮像画素の構成＞
撮像画素３０８は、光電変換素子３０８ｐおよび光電変換素子３０８ｐに照射された光を検知するための撮像画素回路を備える。また、撮像画素回路は、トランジスタ３０８ｔを含む。
【０１０６】
例えばｐｉｎ型のフォトダイオードを光電変換素子３０８ｐに用いることができる。
【０１０７】
＜他の構成＞
タッチパネル３００は、信号を供給することができる配線３１１を備え、端子３１９が配線３１１に設けられている。なお、画像信号および同期信号等の信号を供給することができるＦＰＣ３０９（１）が端子３１９に電気的に接続されている。端子３１９に、ＦＰＣ３０９（１）とＦＰＣ３０９（２）で分割して接続する構成でも良いし（図６（Ａ）参照）、ＦＰＣ３０９と一つで接続する構成でも良い。
【０１０８】
なお、ＦＰＣ３０９（１）にはプリント配線基板（ＰＷＢ）が取り付けられていても良い。
【０１０９】
同一の工程で形成されたトランジスタを、トランジスタ３０２ｔ、トランジスタ３０３ｔ、トランジスタ３０８ｔ等のトランジスタに適用できる。
【０１１０】
ボトムゲート型、トップゲート型等の構造を有するトランジスタを適用できる。
【０１１１】
様々な半導体をトランジスタに適用できる。例えば、金属酸化物、単結晶シリコン、ポリシリコンまたはアモルファスシリコンなどを適用できる。
【０１１２】
なお、本実施の形態は、本明細書で示す他の実施の形態と適宜組み合わせることができる。
【０１１３】
（実施の形態３）
本実施の形態では、本発明の一態様の情報処理装置の有するパネル基板に適用することができる、可撓性を有するタッチパネルの構成について、図８及び図９を参照しながら説明する。
【０１１４】
図８（Ａ）は、本実施の形態で例示するタッチパネル５００の斜視図である。なお明瞭化のため、代表的な構成要素を図８に示す。図８（Ｂ）は、タッチパネル５００の斜視図である。
【０１１５】
図９（Ａ）は、図８（Ａ）に示すタッチパネル５００のＸ１−Ｘ２における断面図である。
【０１１６】
タッチパネル５００は、表示部５０１とタッチセンサ５９５を備える（図８（Ｂ）参照）。また、タッチパネル５００は、基板５１０、基板５７０および基板５９０を有する。なお、基板５１０、基板５７０および基板５９０はいずれも可撓性を有する。
【０１１７】
表示部５０１は、基板５１０、基板５１０上に複数の画素および当該画素に信号を供給することができる複数の配線５１１、および画像信号線駆動回路５０３ｓ（１）を備える。複数の配線５１１は、基板５１０の外周部にまで引き回され、その一部が端子５１９を構成している。端子５１９はＦＰＣ５０９（１）と電気的に接続する。
【０１１８】
＜タッチセンサ＞
基板５９０には、タッチセンサ５９５と、タッチセンサ５９５と電気的に接続する複数の配線５９８を備える。複数の配線５９８は基板５９０の外周部に引き回され、その一部は端子を構成する。そして、当該端子はＦＰＣ５０９（２）と電気的に接続される。なお、図８（Ｂ）では明瞭化のため、基板５９０の裏面側（基板５１０と対向する面側）に設けられるタッチセンサ５９５の電極や配線等を実線で示している。
【０１１９】
タッチセンサ５９５として、例えば静電容量方式のタッチセンサを適用できる。静電容量方式としては、表面型静電容量方式、投影型静電容量方式等がある。
【０１２０】
投影型静電容量方式としては、主に駆動方式の違いから自己容量方式、相互容量方式などがある。相互容量方式を用いると同時多点検出が可能となるため好ましい。
【０１２１】
以下では、投影型静電容量方式のタッチセンサを適用する場合について、図８（Ｂ）を用いて説明する。
【０１２２】
なお、指等の検知対象の近接または接触を検知することができるさまざまなセンサを適用することができる。
【０１２３】
投影型静電容量方式のタッチセンサ５９５は、電極５９１と電極５９２を有する。電極５９１は複数の配線５９８のいずれかと電気的に接続し、電極５９２は複数の配線５９８の他のいずれかと電気的に接続する。
【０１２４】
電極５９２は、図８（Ａ）、（Ｂ）に示すように、一方向に繰り返し配置された複数の四辺形が角部で接続された形状を有する。
【０１２５】
電極５９１は四辺形であり、電極５９２が延在する方向と交差する方向に繰り返し配置されている。
【０１２６】
配線５９４は、電極５９２を挟む二つの電極５９１を電気的に接続する。このとき、電極５９２と配線５９４の交差部の面積ができるだけ小さくなる形状が好ましい。これにより、電極が設けられていない領域の面積を低減でき、透過率のムラを低減できる。その結果、タッチセンサ５９５を透過する光の輝度ムラを低減することができる。
【０１２７】
なお、電極５９１、電極５９２の形状はこれに限られず、様々な形状を取りうる。例えば、複数の電極５９１をできるだけ隙間が生じないように配置し、絶縁層を介して電極５９２を、電極５９１と重ならない領域ができるように離間して複数設ける構成としてもよい。このとき、隣接する２つの電極５９２の間に、これらとは電気的に絶縁されたダミー電極を設けると、透過率の異なる領域の面積を低減できるため好ましい。
【０１２８】
タッチセンサ５９５の構成を、図９を用いて説明する。
【０１２９】
タッチセンサ５９５は、基板５９０、基板５９０上に千鳥状に配置された電極５９１及び電極５９２、電極５９１及び電極５９２を覆う絶縁層５９３並びに隣り合う電極５９１を電気的に接続する配線５９４を備える。
【０１３０】
樹脂層５９７は、タッチセンサ５９５が表示部５０１に重なるように、基板５９０を基板５７０に貼り合わせている。
【０１３１】
電極５９１及び電極５９２は、透光性を有する導電材料を用いて形成する。透光性を有する導電性材料としては、酸化インジウム、インジウム錫酸化物、インジウム亜鉛酸化物、酸化亜鉛、ガリウムを添加した酸化亜鉛などの導電性酸化物を用いることができる。なお、グラフェンを含む膜を用いることもできる。グラフェンを含む膜は、例えば膜状に形成された酸化グラフェンを含む膜を還元して形成することができる。還元する方法としては、熱を加える方法等を挙げることができる。
【０１３２】
透光性を有する導電性材料を基板５９０上にスパッタリング法により成膜した後、フォトリソグラフィ法等の様々なパターニング技術により、不要な部分を除去して、電極５９１及び電極５９２を形成することができる。
【０１３３】
また、絶縁層５９３に用いる材料としては、例えば、アクリル樹脂、エポキシ樹脂などの樹脂、シロキサン結合を有する樹脂の他、酸化シリコン、酸化窒化シリコン、酸化アルミニウムなどの無機絶縁材料を用いることもできる。
【０１３４】
また、電極５９１に達する開口が絶縁層５９３に設けられ、配線５９４が隣接する電極５９１を電気的に接続する。透光性の導電性材料は、タッチパネルの開口率を高まることができるため、配線５９４に好適に用いることができる。また、電極５９１及び電極５９２より導電性の高い材料は、電気抵抗を低減できるため配線５９４に好適に用いることができる。
【０１３５】
一の電極５９２は一方向に延在し、複数の電極５９２がストライプ状に設けられている。
【０１３６】
配線５９４は電極５９２と交差して設けられている。
【０１３７】
一対の電極５９１が一の電極５９２を挟んで設けられ、配線５９４は一対の電極５９１を電気的に接続している。
【０１３８】
なお、複数の電極５９１は、一の電極５９２と必ずしも直交する方向に配置される必要はなく、９０度未満の角度をなすように配置されてもよい。
【０１３９】
一の配線５９８は、電極５９１又は電極５９２と電気的に接続される。配線５９８の一部は、端子として機能する。配線５９８としては、例えば、アルミニウム、金、白金、銀、ニッケル、チタン、タングステン、クロム、モリブデン、鉄、コバルト、銅、又はパラジウム等の金属材料や、該金属材料を含む合金材料を用いることができる。
【０１４０】
なお、絶縁層５９３及び配線５９４を覆う絶縁層を設けて、タッチセンサ５９５を保護することができる。
【０１４１】
また、図９には示していないが接続層５９９は、配線５９８とＦＰＣ５０９（２）を電気的に接続する。
【０１４２】
接続層５９９としては、様々な異方性導電フィルム（ＡＣＦ：Ａｎｉｓｏｔｒｏｐｉｃ  Ｃｏｎｄｕｃｔｉｖｅ  Ｆｉｌｍ）や、異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０１４３】
樹脂層５９７は、透光性を有する。例えば、熱硬化性樹脂や紫外線硬化樹脂を用いることができ、具体的には、アクリル樹脂、ポリウレタン、エポキシ樹脂、またはシロキサン結合を有する樹脂などを用いることができる。
【０１４４】
＜表示部＞
表示部５０１は、マトリクス状に配置された複数の画素を備える。画素は表示素子と表示素子を駆動する画素回路を備える。
【０１４５】
本実施の形態では、白色の光を射出する有機エレクトロルミネッセンス素子を表示素子に適用する場合について説明するが、表示素子はこれに限られない。
【０１４６】
例えば、副画素毎に射出する光の色が異なるように、発光色が異なる有機エレクトロルミネッセンス素子を副画素毎に適用してもよい。
【０１４７】
また、有機エレクトロルミネッセンス素子の他、電気泳動方式やエレクトロウェッティング方式などにより表示を行う表示素子（電子インクともいう）、シャッター方式のＭＥＭＳ表示素子、光干渉方式のＭＥＭＳ表示素子、液晶素子など、様々な表示素子を表示素子に用いることができる。また、透過型液晶ディスプレイ、半透過型液晶ディスプレイ、反射型液晶ディスプレイ、直視型液晶ディスプレイなどにも適用できる。なお、半透過型液晶ディスプレイや反射型液晶ディスプレイを実現する場合には、画素電極の一部、または、全部が、反射電極としての機能を有するようにすればよい。例えば、画素電極の一部、または、全部が、アルミニウム、銀、などを有するようにすればよい。さらに、その場合、反射電極の下に、ＳＲＡＭなどの記憶回路を設けることも可能である。これにより、さらに、消費電力を低減することができる。また、適用する表示素子に好適な構成を様々な画素回路から選択して用いることができる。
【０１４８】
また、表示部において、画素に能動素子を有するアクティブマトリクス方式、または、画素に能動素子を有しないパッシブマトリクス方式を用いることが出来る。
【０１４９】
アクティブマトリクス方式では、能動素子（アクティブ素子、非線形素子）として、トランジスタだけでなく、さまざまな能動素子（アクティブ素子、非線形素子）を用いることが出来る。例えば、ＭＩＭ（Ｍｅｔａｌ  Ｉｎｓｕｌａｔｏｒ  Ｍｅｔａｌ）、又はＴＦＤ（Ｔｈｉｎ  Ｆｉｌｍ  Ｄｉｏｄｅ）などを用いることも可能である。これらの素子は、製造工程が少ないため、製造コストの低減、又は歩留まりの向上を図ることができる。または、これらの素子は、素子のサイズが小さいため、開口率を向上させることができ、低消費電力化や高輝度化をはかることが出来る。
【０１５０】
アクティブマトリクス方式以外のものとして、能動素子（アクティブ素子、非線形素子）を用いないパッシブマトリクス型を用いることも可能である。能動素子（アクティブ素子、非線形素子）を用いないため、製造工程が少ないため、製造コストの低減、又は歩留まりの向上を図ることができる。または、能動素子（アクティブ素子、非線形素子）を用いないため、開口率を向上させることができ、低消費電力化、又は高輝度化などを図ることが出来る。
【０１５１】
可撓性を有する材料を基板５１０および基板５７０に好適に用いることができる。
【０１５２】
不純物の透過が抑制された材料を基板５１０および基板５７０に好適に用いることができる。例えば、水蒸気の透過率が１０−５ｇ／（ｍ２・ｄａｙ）以下、好ましくは１０−６ｇ／（ｍ２・ｄａｙ）以下である材料を好適に用いることができる。
【０１５３】
線膨張率がおよそ等しい材料を基板５１０および基板５７０に好適に用いることができる。例えば、線膨張率が１×１０−３／Ｋ以下、好ましくは５×１０−５／Ｋ以下、より好ましくは１×１０−５／Ｋ以下である材料を好適に用いることができる。
【０１５４】
基板５１０は、可撓性を有する基板５１０ｂ、不純物の発光素子への拡散を防ぐバリア膜５１０ａおよび基板５１０ｂとバリア膜５１０ａを貼り合わせる樹脂層５１０ｃが積層された積層体である。
【０１５５】
例えば、ポリエステル、ポリオレフィン、ポリアミド（ナイロン、アラミド等）、ポリイミド、ポリカーボネートまたはアクリル樹脂、ポリウレタン、エポキシ樹脂、またはシロキサン結合を有する樹脂などを樹脂層５１０ｃに用いることができる。
【０１５６】
基板５７０は、可撓性を有する基板５７０ｂ、不純物の発光素子への拡散を防ぐバリア膜５７０ａおよび基板５７０ｂとバリア膜５７０ａを貼り合わせる樹脂層５７０ｃの積層体である。
【０１５７】
封止材５６０は基板５７０と基板５１０を貼り合わせている。封止材５６０は空気より大きい屈折率を備える。また、封止材５６０側に光を取り出す場合は、封止材５６０は光学的に接合する機能を有する層を兼ねる。画素回路および発光素子（例えば第１の発光素子５５０Ｒ）は基板５１０と基板５７０の間にある。
【０１５８】
＜画素の構成＞
画素は、副画素５０２Ｒを含み、副画素５０２Ｒは発光モジュール５８０Ｒを備える。
【０１５９】
副画素５０２Ｒは、第１の発光素子５５０Ｒおよび第１の発光素子５５０Ｒに電力を供給することができるトランジスタ５０２ｔを含む画素回路を備える。また、発光モジュール５８０Ｒは第１の発光素子５５０Ｒおよび光学素子（例えば第１の着色層５６７Ｒ）を備える。
【０１６０】
第１の発光素子５５０Ｒは、下部電極、上部電極、下部電極と上部電極の間に発光性の有機化合物を含む層を有する。
【０１６１】
発光モジュール５８０Ｒは、光を取り出す方向に第１の着色層５６７Ｒを有する。着色層は特定の波長を有する光を透過するものであればよく、例えば赤色、緑色または青色等を呈する光を選択的に透過するものを用いることができる。なお、他の副画素において、発光素子の発する光をそのまま透過する領域を設けてもよい。
【０１６２】
また、封止材５６０が光を取り出す側に設けられている場合、封止材５６０は、第１の発光素子５５０Ｒと第１の着色層５６７Ｒに接する。
【０１６３】
第１の着色層５６７Ｒは第１の発光素子５５０Ｒと重なる位置にある。これにより、第１の発光素子５５０Ｒが発する光の一部は第１の着色層５６７Ｒを透過して、図中に示す矢印の方向の発光モジュール５８０Ｒの外部に射出される。本発明の一態様の情報処理装置は、この矢印の方向に、第１のフィルム１０２を有する。
【０１６４】
＜表示部の構成＞
表示部５０１は、光を射出する方向に遮光層５６７ＢＭを有する。遮光層５６７ＢＭは、着色層（例えば第１の着色層５６７Ｒ）を囲むように設けられている。
【０１６５】
表示部５０１は、反射防止層５６７ｐを画素に重なる位置に備える。反射防止層５６７ｐとして、例えば円偏光板を用いることができる。
【０１６６】
表示部５０１は、絶縁膜５２１を備える。絶縁膜５２１はトランジスタ５０２ｔを覆っている。なお、絶縁膜５２１は画素回路に起因する凹凸を平坦化するための層として用いることができる。また、不純物の拡散を抑制できる層を含む積層膜を、絶縁膜５２１に適用することができる。これにより、不純物の拡散によるトランジスタ５０２ｔ等の信頼性の低下を抑制できる。
【０１６７】
表示部５０１は、発光素子（例えば第１の発光素子５５０Ｒ）を絶縁膜５２１上に有する。
【０１６８】
表示部５０１は、下部電極の端部に重なる絶縁膜５２８を絶縁膜５２１上に有する。また、基板５１０と基板５７０の間隔を制御するスペーサを、絶縁膜５２８上に有する。
【０１６９】
＜走査線駆動回路の構成＞
走査線駆動回路５０３ｇ（１）は、トランジスタ５０３ｔおよび容量５０３ｃを含む。なお、駆動回路を画素回路と同一の工程で同一基板上に形成することができる。
【０１７０】
＜他の構成＞
表示部５０１は、信号を供給することができる配線５１１を備え、端子５１９が配線５１１に設けられている。なお、画像信号および同期信号等の信号を供給することができるＦＰＣ５０９（１）が端子５１９に電気的に接続されている。
【０１７１】
なお、ＦＰＣ５０９（１）にはプリント配線基板（ＰＷＢ）が取り付けられていても良い。
【０１７２】
表示部５０１は、走査線、信号線および電源線等の配線を有する。様々導電膜を配線に用いることができる。
【０１７３】
具体的には、アルミニウム、クロム、銅、タンタル、チタン、モリブデン、タングステン、ニッケル、イットリウム、ジルコニウム、銀またはマンガンから選ばれた金属元素、上述した金属元素を成分とする合金または上述した金属元素を組み合わせた合金等を用いることができる。とくに、アルミニウム、クロム、銅、タンタル、チタン、モリブデン、タングステンの中から選択される一以上の元素を含むと好ましい。特に、銅とマンガンの合金がウエットエッチング法を用いた微細加工に好適である。
【０１７４】
具体的には、アルミニウム膜上にチタン膜を積層する二層構造、窒化チタン膜上にチタン膜を積層する二層構造、窒化チタン膜上にタングステン膜を積層する二層構造、窒化タンタル膜または窒化タングステン膜上にタングステン膜を積層する二層構造、チタン膜と、そのチタン膜上にアルミニウム膜を積層し、さらにその上にチタン膜を形成する三層構造等を用いることができる。
【０１７５】
具体的には、アルミニウム膜上にチタン、タンタル、タングステン、モリブデン、クロム、ネオジム、スカンジウムから選ばれた一または複数を組み合わせた合金膜、もしくは窒化膜を積層する積層構造を用いることができる。
【０１７６】
また、酸化インジウム、酸化錫または酸化亜鉛を含む透光性を有する導電材料を用いてもよい。
【０１７７】
＜表示部の変形例１＞
様々なトランジスタを表示部５０１に適用できる。
【０１７８】
ボトムゲート型のトランジスタを表示部５０１に適用する場合の構成を、図９（Ａ）および図９（Ｂ）に図示する。
【０１７９】
例えば、金属酸化物、アモルファスシリコン等を含む半導体層を、図９（Ａ）に図示するトランジスタ５０２ｔおよびトランジスタ５０３ｔに適用することができる。
【０１８０】
例えば、少なくともインジウム（Ｉｎ）、亜鉛（Ｚｎ）及びＭ（Ａｌ、Ｇａ、Ｇｅ、Ｙ、Ｚｒ、Ｓｎ、Ｌａ、ＣｅまたはＨｆ等の金属）を含むＩｎ−Ｍ−Ｚｎ酸化物で表記される膜を含むことが好ましい。または、ＩｎとＺｎの双方を含むことが好ましい。
【０１８１】
例えば、レーザーアニールなどの処理により結晶化させた多結晶シリコンを含む半導体層を、図９（Ｂ）に図示するトランジスタ５０２ｔおよびトランジスタ５０３ｔに適用することができる。
【０１８２】
トップゲート型のトランジスタを表示部５０１に適用する場合の構成を、図９（Ｃ）に図示する。
【０１８３】
例えば、多結晶シリコンまたは単結晶シリコン基板等から転置された単結晶シリコン膜等を含む半導体層を、図９（Ｃ）に図示するトランジスタ５０２ｔおよびトランジスタ５０３ｔに適用することができる。
【０１８４】
なお、本実施の形態は、本明細書で示す他の実施の形態と適宜組み合わせることができる。
【０１８５】
（実施の形態４）
本実施の形態では、本発明の一態様の情報処理装置の備える、表示パネルに第１の表示素子と、第２の表示素子とを有する表示装置の構成について説明する。該表示装置においても、構成する基板に可撓性を有する材料を用いることで、実施の形態１で示される入出力操作が可能である。
【０１８６】
また、表示パネルは、第１の情報及び第２の情報を供給される機能と、画素と、を備える。
【０１８７】
画素は、第１の表示素子および第２の表示素子を備える。
【０１８８】
第１の表示素子は第１の情報に基づいて表示する機能を備え、第２の表示素子は第２の情報に基づいて表示する機能を備える。
【０１８９】
図１０は本発明の一態様の表示装置の構成を説明するブロック図である。
【０１９０】
本実施の形態で説明する表示装置は、表示パネル７００と、制御部２３８と、を有する（図１０参照）。
【０１９１】
＜制御部２３８＞
制御部２３８は、画像情報Ｖ１および画像情報Ｖ２、制御情報ＳＳを供給される機能を備える。
【０１９２】
制御部２３８は画像情報Ｖ１に基づいて第１の情報Ｖ１１を生成する機能を備える。また制御部２３８は画像情報Ｖ２に基づいて第２の情報Ｖ１２を生成する機能を備える。
【０１９３】
また、制御部２３８は、第１の情報Ｖ１１及び第２の情報Ｖ１２を供給する機能を備える。
【０１９４】
例えば、制御部２３８は、展開回路２３４を備える。
【０１９５】
＜表示パネル７００＞
表示パネル７００は第１の情報Ｖ１１乃至第２の情報Ｖ１２を供給される機能を備え、表示パネル７００は画素７０２（ｉ，ｊ）を備える。
【０１９６】
画素７０２（ｉ，ｊ）は、第１の表示素子７５０（ｉ，ｊ）および第２の表示素子５５０（ｉ，ｊ）を備える（図１２（Ｃ）参照）。
【０１９７】
第１の表示素子７５０（ｉ，ｊ）は、第１の情報Ｖ１１に基づいて表示する機能を備え、第２の表示素子５５０（ｉ，ｊ）は、第２の情報Ｖ１２に基づいて表示する機能を備える。
【０１９８】
例えば、実施の形態２乃至実施の形態３において説明する表示パネルを表示パネル７００に用いることができる。
【０１９９】
例えば、第１の表示素子７５０（ｉ，ｊ）より小さい消費電力にて表示することができる表示素子を、第２の表示素子５５０（ｉ，ｊ）に用いることができる。具体的には、反射型の表示素子を第１の表示素子７５０（ｉ，ｊ）に用いることができる。また、発光素子を第２の表示素子５５０（ｉ，ｊ）に用いることができる。
【０２００】
これにより、第２の表示素子のみを用いる場合に比べて消費電力を抑制しながら、コントラストが高い表示をすることができる。第２の表示素子のみを用いる場合に比べて第２の表示素子の信頼性の低下を抑制しながら、コントラストが高い表示をすることができる。または、第１の表示素子のみを用いた表示に比べてメリハリのある表示をすることができる。その結果、利便性または信頼性に優れた新規な表示装置を提供することができる。
【０２０１】
例えば、第１の表示素子７５０（ｉ，ｊ）を用いて表示することができる色域より広い色域を表示することができる表示素子を、第２の表示素子５５０（ｉ，ｊ）に用いることができる。具体的には、第１の表示素子７５０（ｉ，ｊ）として用いる反射型の液晶表示素子が表示することができる色域より広い色域を表示することができる有機ＥＬ素子を、第２の表示素子に用いることができる。
【０２０２】
これにより、第１の表示素子のみを用いた表示に比べて、視認性を高めて表示することができる。または、第１の表示素子のみを用いた表示に比べて、メリハリのある表示をすることができる。または、第１の表示素子のみを用いた表示に比べて、色鮮やかな印象をうける表示をすることができる。その結果、利便性または信頼性に優れた新規な表示装置を提供することができる。
【０２０３】
反射型の表示素子を第１の表示素子７５０（ｉ，ｊ）に用い、消費電力を抑制する構成は、本発明のように、カメラ１１３で撮像した第１の画像１２１は入出力操作において重要ではなく、かつ長時間表示する場合に好適である。特に、情報処理装置が携帯型端末であり、外光が明るい環境下で視認する際は好適である。また発光素子を第２の表示素子５５０（ｉ，ｊ）に用い視認性を高めて表示する構成は、第２の画像１２２が入出力操作において重要であり、かつ短時間表示される場合に好適である。
【０２０４】
＜展開回路２３４＞
展開回路２３４は、圧縮された状態で供給される画像情報Ｖ１と画像情報Ｖ２とをそれぞれ展開する機能を備える。展開回路２３４は、記憶部を備える。記憶部は、例えば展開された画像情報を記憶する機能を備える。
【０２０５】
なお、本実施の形態は、本明細書で示す他の実施の形態と適宜組み合わせることができる。
【０２０６】
（実施の形態５）
本実施の形態では、実施の形態１において説明する情報処理装置に用いることができる表示パネル７００の構成について、図１０乃至図１７を参照しながら説明する。
【０２０７】
図１０は本発明の一態様の表示装置の構成を説明するブロック図である。表示装置は表示パネルを有する。
【０２０８】
図１１は本発明の一態様の表示装置の表示パネルの構成を説明するブロック図である。図１１は図１０に示す構成とは異なる構成を説明するブロック図である。
【０２０９】
図１２は本発明の一態様の表示装置に用いることができる表示パネルの構成を説明する図である。図１２（Ａ）は表示パネルの上面図であり、図１２（Ｂ）は図１２（Ａ）に示す表示パネルの画素の一部を説明する上面図である。図１２（Ｃ）は図１２（Ｂ）に示す画素の構成を説明する模式図である。
【０２１０】
図１３および図１４は表示パネルの構成を説明する断面図である。図１３（Ａ）は図１２（Ａ）の切断線Ｘ１−Ｘ２、切断線Ｘ３−Ｘ４、切断線Ｘ５−Ｘ６における断面図であり、図１３（Ｂ）は図１３（Ａ）の一部を説明する図である。
【０２１１】
図１４（Ａ）は図１２（Ａ）の切断線Ｘ７−Ｘ８、切断線Ｘ９−Ｘ１０における断面図であり、図１４（Ｂ）は図１４（Ａ）の一部を説明する図である。
【０２１２】
図１５（Ａ）は図１２（Ｂ）に示す表示パネルの画素の一部を説明する下面図であり、図１５（Ｂ）は図１５（Ａ）に示す構成の一部を省略して説明する下面図である。
【０２１３】
図１６は本発明の一態様の表示パネルが備える画素回路の構成を説明する回路図である。
【０２１４】
図１７は表示パネルの画素に用いることができる反射膜の形状を説明する模式図である。
【０２１５】
なお、本明細書において、１以上の整数を値にとる変数を符号に用いる場合がある。例えば、１以上の整数の値をとる変数ｐを含む（ｐ）を、最大ｐ個の構成要素のいずれかを特定する符号の一部に用いる場合がある。また、例えば、１以上の整数の値をとる変数ｍおよび変数ｎを含む（ｍ，ｎ）を、最大ｍ×ｎ個の構成要素のいずれかを特定する符号の一部に用いる場合がある。
【０２１６】
＜表示パネルの構成例１．＞
本実施の形態で説明する表示パネル７００は、表示領域２３１を有する（図１０参照）。また、表示パネル７００は、駆動回路ＧＤまたは駆動回路ＳＤを備えることができる。
【０２１７】
また、表示パネルは、複数の駆動回路を有することができる。例えば、表示パネル７００Ｂは、駆動回路ＧＤＡおよび駆動回路ＧＤＢを有する（図１１参照）。
【０２１８】
＜表示領域２３１＞
表示領域２３１は、一群の複数の画素７０２（ｉ，１）乃至画素７０２（ｉ，ｎ）と、他の一群の複数の画素７０２（１，ｊ）乃至画素７０２（ｍ，ｊ）と、走査線Ｇ１（ｉ）と、を有する（図１０、図１５または図１６参照）。また、走査線Ｇ２（ｉ）と、配線ＣＳＣＯＭと、第３の導電膜ＡＮＯと、信号線Ｓ２（ｊ）と、を有する。なお、ｉは１以上ｍ以下の整数であり、ｊは１以上ｎ以下の整数であり、ｍおよびｎは１以上の整数である。
【０２１９】
一群の複数の画素７０２（ｉ，１）乃至画素７０２（ｉ，ｎ）は画素７０２（ｉ，ｊ）を含み、一群の複数の画素７０２（ｉ，１）乃至画素７０２（ｉ，ｎ）は行方向（図中に矢印Ｒ１で示す方向）に配設される。
【０２２０】
他の一群の複数の画素７０２（１，ｊ）乃至画素７０２（ｍ，ｊ）は画素７０２（ｉ，ｊ）を含み、他の一群の複数の画素７０２（１，ｊ）乃至画素７０２（ｍ，ｊ）は行方向と交差する列方向（図中に矢印Ｃ１で示す方向）に配設される。
【０２２１】
走査線Ｇ１（ｉ）および走査線Ｇ２（ｉ）は、行方向に配設される一群の複数の画素７０２（ｉ，１）乃至画素７０２（ｉ，ｎ）と電気的に接続される。
【０２２２】
列方向に配設される他の一群の複数の画素７０２（１，ｊ）乃至画素７０２（ｍ，ｊ）は、信号線Ｓ１（ｊ）および信号線Ｓ２（ｊ）と電気的に接続される。
【０２２３】
＜駆動回路ＧＤ＞
駆動回路ＧＤは、制御情報に基づいて選択信号を供給する機能を有する。
【０２２４】
一例を挙げれば、制御情報に基づいて、３０Ｈｚ以上、好ましくは６０Ｈｚ以上の頻度で一の走査線に選択信号を供給する機能を備える。これにより、動画像をなめらかに表示することができる。
【０２２５】
例えば、制御情報に基づいて、３０Ｈｚ未満、好ましくは１Ｈｚ未満より好ましくは一分に一回未満の頻度で一の走査線に選択信号を供給する機能を備える。これにより、フリッカーが抑制された状態で静止画像を表示することができる。
【０２２６】
また、例えば、複数の駆動回路を備える場合、駆動回路ＧＤＡが選択信号を供給する頻度と、駆動回路ＧＤＢが選択信号を供給する頻度を、異ならせることができる。具体的には、フリッカーが抑制された状態で静止画像を表示する領域より高い頻度で、動画像を滑らかに表示する領域に選択信号を供給することができる。
【０２２７】
＜駆動回路ＳＤ、駆動回路ＳＤ１、駆動回路ＳＤ２＞
駆動回路ＳＤは、駆動回路ＳＤ１と、駆動回路ＳＤ２と、を有する。駆動回路ＳＤ１は、情報Ｖ１１に基づいて画像信号を供給する機能を有し、駆動回路ＳＤ２は、情報Ｖ１２に基づいて画像信号を供給する機能を有する（図１０参照）。
【０２２８】
駆動回路ＳＤ１は、一の表示素子と電気的に接続される画素回路に供給する画像信号を生成する機能を備える。具体的には、極性が反転する信号を生成する機能を備える。これにより、例えば、液晶表示素子を駆動することができる。
【０２２９】
駆動回路ＳＤ２は、一の表示素子とは異なる方法を用いて表示をする他の表示素子と電気的に接続される画素回路に供給する画像信号を生成する機能を備える。例えば、有機ＥＬ素子を駆動することができる。
【０２３０】
例えば、シフトレジスタ等のさまざまな順序回路等を駆動回路ＳＤに用いることができる。
【０２３１】
例えば、駆動回路ＳＤ１および駆動回路ＳＤ２が集積された集積回路を、駆動回路ＳＤに用いることができる。具体的には、シリコン基板上に形成された集積回路を駆動回路ＳＤに用いることができる。
【０２３２】
例えば、ＣＯＧ（Ｃｈｉｐ  ｏｎ  ｇｌａｓｓ）法またはＣＯＦ（Ｃｈｉｐ  ｏｎ  Ｆｉｌｍ）法を用いて、集積回路を端子にすることが実装できる。具体的には、異方性導電膜を用いて、集積回路を端子に実装することができる。
【０２３３】
＜画素の構成例＞
画素７０２（ｉ，ｊ）は、第１の表示素子７５０（ｉ，ｊ）、第２の表示素子５５０（ｉ，ｊ）および機能層５２０の一部を備える（図１２（Ｃ）、図１３（Ａ）および図１４（Ａ）参照）。
【０２３４】
＜機能層＞
機能層５２０は、第１の導電膜と、第２の導電膜と、絶縁膜５０１Ｃと、画素回路５３０（ｉ，ｊ）と、を含む（図１３（Ａ）および図１３（Ｂ）参照）。また、機能層５２０は、絶縁膜５２１と、絶縁膜５２８と、絶縁膜５１８および絶縁膜５１６を含む。
【０２３５】
なお、機能層５２０は、基板５７０および基板７７０の間に挟まれる領域を備える。
【０２３６】
＜絶縁膜５０１Ｃ＞
絶縁膜５０１Ｃは、第１の導電膜および第２の導電膜の間に挟まれる領域を備え、絶縁膜５０１Ｃは開口部５９１Ａを備える（図１４（Ａ）参照）。
【０２３７】
＜第１の導電膜＞
例えば、第１の表示素子７５０（ｉ，ｊ）の第１の電極７５１（ｉ，ｊ）を、第１の導電膜に用いることができる。第１の導電膜は、第１の電極７５１（ｉ，ｊ）と電気的に接続される。
【０２３８】
＜第２の導電膜＞
例えば、導電膜５１２Ｂを第２の導電膜に用いることができる。第２の導電膜は、第１の導電膜と重なる領域を備える。第２の導電膜は、開口部５９１Ａにおいて第１の導電膜と電気的に接続される。ところで、絶縁膜５０１Ｃに設けられた開口部５９１Ａにおいて第２の導電膜と電気的に接続される第１の導電膜を、貫通電極ということができる。
【０２３９】
第２の導電膜は、画素回路５３０（ｉ，ｊ）と電気的に接続される。例えば、画素回路５３０（ｉ，ｊ）のスイッチＳＷ１に用いるトランジスタのソース電極またはドレイン電極として機能する導電膜を、第２の導電膜に用いることができる。
【０２４０】
＜画素回路＞
画素回路５３０（ｉ，ｊ）は、第１の表示素子７５０（ｉ，ｊ）および第２の表示素子５５０（ｉ，ｊ）を駆動する機能を備える（図１６参照）。
【０２４１】
これにより、例えば同一の工程を用いて形成することができる画素回路を用いて、第１の表示素子と、第１の表示素子とは異なる方法を用いて表示をする第２の表示素子と、を駆動することができる。具体的には、反射型の表示素子を第１の表示素子に用いて、消費電力を低減することができる。または、外光が明るい環境下において高いコントラストで画像を良好に表示することができる。または、光を射出する第２の表示素子を用いて、暗い環境下で画像を良好に表示することができる。または、絶縁膜を用いて、第１の表示素子および第２の表示素子の間または第１の表示素子および画素回路の間における不純物の拡散を抑制することができる。その結果、利便性または信頼性に優れた新規な表示装置を提供することができる。
【０２４２】
スイッチ、トランジスタ、ダイオード、抵抗素子、インダクタまたは容量素子等を画素回路５３０（ｉ，ｊ）に用いることができる。
【０２４３】
例えば、単数または複数のトランジスタをスイッチに用いることができる。または、並列に接続された複数のトランジスタ、直列に接続された複数のトランジスタ、直列と並列が組み合わされて接続された複数のトランジスタを、一のスイッチに用いることができる。
【０２４４】
例えば、画素回路５３０（ｉ，ｊ）は、信号線Ｓ１（ｊ）、信号線Ｓ２（ｊ）、走査線Ｇ１（ｉ）、走査線Ｇ２（ｉ）、配線ＣＳＣＯＭおよび第３の導電膜ＡＮＯと電気的に接続される（図１６参照）。なお、導電膜５１２Ａは、信号線Ｓ１（ｊ）と電気的に接続される（図１４（Ａ）および図１６参照）。
【０２４５】
画素回路５３０（ｉ，ｊ）は、スイッチＳＷ１、容量素子Ｃ１１を含む（図１６参照）。
【０２４６】
画素回路５３０（ｉ，ｊ）は、スイッチＳＷ２、トランジスタＭおよび容量素子Ｃ１２を含む。
【０２４７】
例えば、走査線Ｇ１（ｉ）と電気的に接続されるゲート電極と、信号線Ｓ１（ｊ）と電気的に接続される第１の電極と、を有するトランジスタを、スイッチＳＷ１に用いることができる。
【０２４８】
容量素子Ｃ１１は、スイッチＳＷ１に用いるトランジスタの第２の電極と電気的に接続される第１の電極と、配線ＣＳＣＯＭと電気的に接続される第２の電極と、を有する。
【０２４９】
例えば、走査線Ｇ２（ｉ）と電気的に接続されるゲート電極と、信号線Ｓ２（ｊ）と電気的に接続される第１の電極と、を有するトランジスタを、スイッチＳＷ２に用いることができる。
【０２５０】
トランジスタＭは、スイッチＳＷ２に用いるトランジスタの第２の電極と電気的に接続されるゲート電極と、第３の導電膜ＡＮＯと電気的に接続される第１の電極と、を有する。
【０２５１】
なお、半導体膜をゲート電極との間に挟むように設けられた導電膜を備えるトランジスタを、トランジスタＭに用いることができる。例えば、トランジスタＭのゲート電極と同じ電位を供給することができる配線と電気的に接続される導電膜を当該導電膜に用いることができる。
【０２５２】
容量素子Ｃ１２は、スイッチＳＷ２に用いるトランジスタの第２の電極と電気的に接続される第１の電極と、トランジスタＭの第１の電極と電気的に接続される第２の電極と、を有する。
【０２５３】
なお、第１の表示素子７５０（ｉ，ｊ）の第１の電極を、スイッチＳＷ１に用いるトランジスタの第２の電極と電気的に接続する。また、第１の表示素子７５０（ｉ，ｊ）の第２の電極を、配線ＶＣＯＭ１と電気的に接続する。これにより、第１の表示素子７５０を駆動することができる。
【０２５４】
また、第２の表示素子５５０（ｉ，ｊ）の第３の電極５５１（ｉ，ｊ）をトランジスタＭの第２の電極と電気的に接続し、第２の表示素子５５０（ｉ，ｊ）の第４の電極５５２を第４の導電膜ＶＣＯＭ２と電気的に接続する。これにより、第２の表示素子５５０（ｉ，ｊ）を駆動することができる。
【０２５５】
＜第１の表示素子７５０（ｉ，ｊ）＞
例えば、光の反射または透過を制御する機能を備える表示素子を、第１の表示素子７５０（ｉ，ｊ）に用いることができる。具体的には、反射型の液晶表示素子を第１の表示素子７５０（ｉ，ｊ）に用いることができる。または、シャッター方式のＭＥＭＳ表示素子等を用いることができる。反射型の表示素子を用いることにより、表示パネルの消費電力を抑制することができる。
【０２５６】
第１の表示素子７５０（ｉ，ｊ）は、第１の電極７５１（ｉ，ｊ）、第２の電極７５２および液晶材料を含む層７５３を備える。第２の電極７５２は、第１の電極７５１（ｉ，ｊ）との間に液晶材料の配向を制御する電界が形成されるように配置される（図１３（Ａ）および図１４（Ａ）参照）。
【０２５７】
なお、第１の表示素子７５０（ｉ，ｊ）は、配向膜ＡＦ１および配向膜ＡＦ２を備える。配向膜ＡＦ２は、配向膜ＡＦ１との間に液晶材料を含む層７５３を挟む領域を備える。
【０２５８】
＜第２の表示素子５５０（ｉ，ｊ）＞
例えば、光を射出する機能を備える表示素子を第２の表示素子５５０（ｉ，ｊ）に用いることができる。具体的には、有機ＥＬ素子等を用いることができる。
【０２５９】
第２の表示素子５５０（ｉ，ｊ）は、絶縁膜５０１Ｃに向けて光を射出する機能を備える（図１３（Ａ）参照）。
【０２６０】
第２の表示素子５５０（ｉ，ｊ）は、第１の表示素子７５０（ｉ，ｊ）による表示を視認できる範囲の一部において視認できるように配設される。例えば、外光を反射する強度を制御して画像情報を表示する第１の表示素子７５０（ｉ，ｊ）に外光が入射し反射する方向を、破線の矢印で図中に示す（図１４（Ａ）参照）。また、第１の表示素子７５０（ｉ，ｊ）による表示を視認できる範囲の一部に第２の表示素子５５０（ｉ，ｊ）が光を射出する方向を、実線の矢印で図中に示す（図１３（Ａ）参照）。
【０２６１】
これにより、第１の表示素子を用いた表示を視認することができる領域の一部において、第２の表示素子を用いた表示を視認することができる。または、表示パネルの姿勢等を変えることなく使用者は表示を視認することができる。その結果、利便性または信頼性に優れた新規な表示パネルを提供することができる。
【０２６２】
第２の表示素子５５０（ｉ，ｊ）は、第３の電極５５１（ｉ，ｊ）と、第４の電極５５２と、発光性の材料を含む層５５３（ｊ）と、を備える（図１３（Ａ）参照）。
【０２６３】
第４の電極５５２は、第３の電極５５１（ｉ，ｊ）と重なる領域を備える。
【０２６４】
発光性の材料を含む層５５３（ｊ）は、第３の電極５５１（ｉ，ｊ）および第４の電極５５２の間に挟まれる領域を備える。
【０２６５】
第３の電極５５１（ｉ，ｊ）は、接続部５２２において、画素回路５３０（ｉ，ｊ）と電気的に接続される。なお、第３の電極５５１（ｉ，ｊ）は、第３の導電膜ＡＮＯと電気的に接続され、第４の電極５５２は、第４の導電膜ＶＣＯＭ２と電気的に接続される（図１６参照）。
【０２６６】
＜中間膜＞
また、本実施の形態で説明する表示パネルは、中間膜７５４Ａと、中間膜７５４Ｂと、中間膜７５４Ｃと、を有する。
【０２６７】
中間膜７５４Ａは、絶縁膜５０１Ｃとの間に第１の導電膜を挟む領域を備え、中間膜７５４Ａは、第１の電極７５１（ｉ，ｊ）と接する領域を備える。中間膜７５４Ｂは導電膜５１１Ｂと接する領域を備える。中間膜７５４Ｃは導電膜５１１Ｃと接する領域を備える。
【０２６８】
＜絶縁膜５０１Ａ＞
また、本実施の形態で説明する表示パネルは、絶縁膜５０１Ａを有する（図１３（Ａ）参照）。
【０２６９】
絶縁膜５０１Ａは、第１の開口部５９２Ａ、第２の開口部５９２Ｂおよび開口部５９２Ｃを備える（図１３（Ａ）または図１４（Ａ）参照）。
【０２７０】
第１の開口部５９２Ａは、中間膜７５４Ａおよび第１の電極７５１（ｉ，ｊ）と重なる領域または中間膜７５４Ａおよび絶縁膜５０１Ｃと重なる領域を備える。
【０２７１】
第２の開口部５９２Ｂは、中間膜７５４Ｂおよび導電膜５１１Ｂと重なる領域を備える。
【０２７２】
また、開口部５９２Ｃは、中間膜７５４Ｃおよび導電膜５１１Ｃと重なる領域を備える。
【０２７３】
また、絶縁膜５０１Ａは、導電膜５１１Ｂとの間に絶縁膜５０１Ｃを挟む領域を備える。絶縁膜５０１Ａは、絶縁膜５０１Ｃの開口部５９１Ｂにおいて導電膜５１１Ｂと接する。絶縁膜５０１Ａは、絶縁膜５０１Ｃの開口部５９１Ｃにおいて導電膜５１１Ｃと接する。
【０２７４】
絶縁膜５０１Ａは、第１の開口部５９２Ａの周縁に沿って、中間膜７５４Ａおよび絶縁膜５０１Ｃの間に挟まれる領域を備え、絶縁膜５０１Ａは、第２の開口部５９２Ｂの周縁に沿って、中間膜７５４Ｂおよび導電膜５１１Ｂの間に挟まれる領域を備える。
【０２７５】
＜絶縁膜５２１、絶縁膜５２８、絶縁膜５１８、絶縁膜５１６等＞
絶縁膜５２１は、画素回路５３０（ｉ，ｊ）および第２の表示素子５５０（ｉ，ｊ）の間に挟まれる領域を備える。
【０２７６】
絶縁膜５２８は、絶縁膜５２１および基板５７０の間に配設され、第２の表示素子５５０（ｉ，ｊ）と重なる領域に開口部を備える。
【０２７７】
第３の電極５５１（ｉ，ｊ）の周縁に沿って形成される絶縁膜５２８は、第３の電極５５１（ｉ，ｊ）および第４の電極の短絡を防止する。
【０２７８】
絶縁膜５１８は、絶縁膜５２１および画素回路５３０（ｉ，ｊ）の間に挟まれる領域を備える。
【０２７９】
絶縁膜５１６は、絶縁膜５１８および画素回路５３０（ｉ，ｊ）の間に挟まれる領域を備える。
【０２８０】
＜端子等＞
また、本実施の形態で説明する表示パネルは、端子５１９Ｂおよび端子５１９Ｃを有する。
【０２８１】
端子５１９Ｂは、導電膜５１１Ｂと、中間膜７５４Ｂと、を備え、中間膜７５４Ｂは、導電膜５１１Ｂと接する領域を備える。端子５１９Ｂは、例えば信号線Ｓ１（ｊ）と電気的に接続される。
【０２８２】
端子５１９Ｃは、導電膜５１１Ｃと、中間膜７５４Ｃと、を備え、中間膜７５４Ｃは、導電膜５１１Ｃと接する領域を備える。導電膜５１１Ｃは、例えば配線ＶＣＯＭ１と電気的に接続される。
【０２８３】
導電材料ＣＰは、端子５１９Ｃと第２の電極７５２の間に挟まれ、端子５１９Ｃと第２の電極７５２を電気的に接続する機能を備える。例えば、導電性の粒子を導電材料ＣＰに用いることができる。
【０２８４】
＜基板等＞
また、本実施の形態で説明する表示パネルは、基板５７０と、基板７７０と、を有する。
【０２８５】
基板７７０は、基板５７０と重なる領域を備える。基板７７０は、基板５７０との間に機能層５２０を挟む領域を備える。
【０２８６】
＜接合層、封止材、構造体等＞
また、本実施の形態で説明する表示パネルは、接合層５０５と、封止材７０５と、構造体ＫＢ１と、を有する。
【０２８７】
接合層５０５は、機能層５２０および基板５７０の間に挟まれる領域を備え、機能層５２０および基板５７０を貼り合せる機能を備える。
【０２８８】
封止材７０５は、機能層５２０および基板７７０の間に挟まれる領域を備え、機能層５２０および基板７７０を貼り合わせる機能を備える。
【０２８９】
構造体ＫＢ１は、機能層５２０および基板７７０の間に所定の間隙を設ける機能を備える。
【０２９０】
＜機能膜等＞
また、本実施の形態で説明する表示パネルは、遮光膜ＢＭと、絶縁膜７７１と、機能膜７７０Ｐと、機能膜７７０Ｄと、を有する。また、着色膜ＣＦ１および着色膜ＣＦ２を有する。
【０２９１】
遮光膜ＢＭは、第１の表示素子７５０（ｉ，ｊ）と重なる領域に開口部を備える。着色膜ＣＦ２は、絶縁膜５０１Ｃおよび第２の表示素子５５０（ｉ，ｊ）の間に配設され、開口部７５１Ｈと重なる領域を備える（図１３（Ａ）参照）。
【０２９２】
絶縁膜７７１は、着色膜ＣＦ１と液晶材料を含む層７５３の間または遮光膜ＢＭと液晶材料を含む層７５３の間に挟まれる領域を備える。これにより、着色膜ＣＦ１の厚さに基づく凹凸を平坦にすることができる。または、遮光膜ＢＭまたは着色膜ＣＦ１等から液晶材料を含む層７５３への不純物の拡散を、抑制することができる。
【０２９３】
機能膜７７０Ｐは、第１の表示素子７５０（ｉ，ｊ）と重なる領域を備える。
【０２９４】
機能膜７７０Ｄは、第１の表示素子７５０（ｉ，ｊ）と重なる領域を備える。機能膜７７０Ｄは、第１の表示素子７５０（ｉ，ｊ）との間に基板７７０を挟むように配設される。これにより、例えば、第１の表示素子７５０（ｉ，ｊ）が反射する光を拡散することができる。
【０２９５】
＜構成要素の例＞
表示パネル７００は、基板５７０、基板７７０、構造体ＫＢ１、封止材７０５または接合層５０５を有する。
【０２９６】
また、表示パネル７００は、機能層５２０、絶縁膜５２１または絶縁膜５２８を有する。
【０２９７】
また、表示パネル７００は、信号線Ｓ１（ｊ）、信号線Ｓ２（ｊ）、走査線Ｇ１（ｉ）、走査線Ｇ２（ｉ）、配線ＣＳＣＯＭまたは第３の導電膜ＡＮＯを有する。
【０２９８】
また、表示パネル７００は、第１の導電膜または第２の導電膜を有する。
【０２９９】
また、表示パネル７００は、端子５１９Ｂ、端子５１９Ｃ、導電膜５１１Ｂまたは導電膜５１１Ｃを有する。
【０３００】
また、表示パネル７００は、画素回路５３０（ｉ，ｊ）またはスイッチＳＷ１を有する。
【０３０１】
また、表示パネル７００は、第１の表示素子７５０（ｉ，ｊ）、第１の電極７５１（ｉ，ｊ）、反射膜、開口部、液晶材料を含む層７５３または第２の電極７５２を有する。
【０３０２】
また、表示パネル７００は、配向膜ＡＦ１、配向膜ＡＦ２、着色膜ＣＦ１、着色膜ＣＦ２、遮光膜ＢＭ、絶縁膜７７１、機能膜７７０Ｐまたは機能膜７７０Ｄを有する。
【０３０３】
また、表示パネル７００は、第２の表示素子５５０（ｉ，ｊ）、第３の電極５５１（ｉ，ｊ）、第４の電極５５２または発光性の材料を含む層５５３（ｊ）を有する。
【０３０４】
また、表示パネル７００は、絶縁膜５０１Ａおよび絶縁膜５０１Ｃを有する。
【０３０５】
また、表示パネル７００は、駆動回路ＧＤまたは駆動回路ＳＤを有する。
【０３０６】
＜基板５７０＞
作製工程中の熱処理に耐えうる程度の耐熱性を有する材料を基板５７０等に用いることができる。かつ、可撓性を有する基板を基板５７０等に用いることができる。
【０３０７】
例えば、シリコンや炭化シリコンからなる単結晶半導体基板、多結晶半導体基板、シリコンゲルマニウム等の化合物半導体基板、ＳＯＩ基板等を基板５７０等に用いることができる。これにより、半導体素子を基板５７０等に形成することができる。
【０３０８】
例えば、樹脂、樹脂フィルムまたはプラスチック等の有機材料を基板５７０等に用いることができる。具体的には、ポリエステル、ポリオレフィン、ポリアミド、ポリイミド、ポリカーボネートまたはアクリル樹脂等の樹脂フィルムまたは樹脂板を、基板５７０等に用いることができる。
【０３０９】
また、単層の材料または複数の層が積層された材料を、基板５７０等に用いることができる。例えば、基材と基材に含まれる不純物の拡散を防ぐ絶縁膜等が積層された材料を、基板５７０等に用いることができる。
【０３１０】
具体的には、ポリエステル、ポリオレフィン、ポリアミド、ポリイミド、ポリカーボネート若しくはアクリル樹脂等の樹脂フィルム、樹脂板または積層材料等を基板５７０等に用いることができる。
【０３１１】
具体的には、ポリエステル、ポリオレフィン、ポリアミド（ナイロン、アラミド等）、ポリイミド、ポリカーボネート、ポリウレタン、アクリル樹脂、エポキシ樹脂もしくはシリコーン等のシロキサン結合を有する樹脂を含む材料を基板５７０等に用いることができる。
【０３１２】
具体的には、ポリエチレンテレフタレート（ＰＥＴ）、ポリエチレンナフタレート（ＰＥＮ）、ポリエーテルサルフォン（ＰＥＳ）またはアクリル樹脂等を基板５７０等に用いることができる。または、シクロオレフィンポリマー（ＣＯＰ）、シクロオレフィンコポリマー（ＣＯＣ）等を用いることができる。
【０３１３】
また、紙または木材などを基板５７０等に用いることができる。
【０３１４】
＜基板７７０＞
基板７７０は可撓性を有する材料を用いることができる。また、透光性を備える材料を基板７７０に用いることができる。具体的には、基板５７０に用いることができる材料から選択された材料を基板７７０に用いることができる。
【０３１５】
＜構造体ＫＢ１＞
例えば、有機材料、無機材料または有機材料と無機材料の複合材料を構造体ＫＢ１等に用いることができる。これにより、所定の間隔を、構造体ＫＢ１等を挟む構成の間に設けることができる。
【０３１６】
具体的には、ポリエステル、ポリオレフィン、ポリアミド、ポリイミド、ポリカーボネート、ポリシロキサン若しくはアクリル樹脂等またはこれらから選択された複数の樹脂の複合材料などを構造体ＫＢ１に用いることができる。また、感光性を有する材料を用いて形成してもよい。
【０３１７】
＜封止材７０５＞
無機材料、有機材料または無機材料と有機材料の複合材料等を封止材７０５等に用いることができる。
【０３１８】
例えば、熱溶融性の樹脂または硬化性の樹脂等の有機材料を、封止材７０５等に用いることができる。
【０３１９】
例えば、反応硬化型接着剤、光硬化型接着剤、熱硬化型接着剤または／および嫌気型接着剤等の有機材料を封止材７０５等に用いることができる。
【０３２０】
具体的には、エポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等を含む接着剤を封止材７０５等に用いることができる。
【０３２１】
＜接合層５０５＞
例えば、封止材７０５に用いることができる材料を接合層５０５に用いることができる。
【０３２２】
＜絶縁膜５２１＞
例えば、絶縁性の無機材料、絶縁性の有機材料または無機材料と有機材料を含む絶縁性の複合材料を、絶縁膜５２１等に用いることができる。
【０３２３】
具体的には、無機酸化物膜、無機窒化物膜または無機酸化窒化物膜等またはこれらから選ばれた複数を積層した積層材料を、絶縁膜５２１等に用いることができる。例えば、酸化シリコン膜、窒化シリコン膜、酸化窒化シリコン膜、酸化アルミニウム膜等またはこれらから選ばれた複数を積層した積層材料を含む膜を、絶縁膜５２１等に用いることができる。
【０３２４】
具体的には、ポリエステル、ポリオレフィン、ポリアミド、ポリイミド、ポリカーボネート、ポリシロキサン若しくはアクリル樹脂等またはこれらから選択された複数の樹脂の積層材料もしくは複合材料などを絶縁膜５２１等に用いることができる。また、感光性を有する材料を用いて形成してもよい。
【０３２５】
これにより、例えば絶縁膜５２１と重なるさまざまな構造に由来する段差を平坦化することができる。
【０３２６】
＜絶縁膜５２８＞
例えば、絶縁膜５２１に用いることができる材料を絶縁膜５２８等に用いることができる。具体的には、厚さ１μｍのポリイミドを含む膜を絶縁膜５２８に用いることができる。
【０３２７】
＜絶縁膜５０１Ａ＞
例えば、絶縁膜５２１に用いることができる材料を絶縁膜５０１Ａに用いることができる。また、例えば、水素を供給する機能を備える材料を絶縁膜５０１Ａに用いることができる。
【０３２８】
具体的には、シリコンおよび酸素を含む材料と、シリコンおよび窒素を含む材料と、を積層した材料を、絶縁膜５０１Ａに用いることができる。例えば、加熱等により水素を放出し、放出した水素を他の構成に供給する機能を備える材料を、絶縁膜５０１Ａに用いることができる。具体的には、作製工程中に取り込まれた水素を加熱等により放出し、他の構成に供給する機能を備える材料を絶縁膜５０１Ａに用いることができる。
【０３２９】
例えば、原料ガスにシラン等を用いる化学気相成長法により形成されたシリコンおよび酸素を含む膜を、絶縁膜５０１Ａに用いることができる。
【０３３０】
具体的には、シリコンおよび酸素を含む厚さ２００ｎｍ以上６００ｎｍ以下の材料と、シリコンおよび窒素を含む厚さ２００ｎｍ程度の材料と、を積層した材料を絶縁膜５０１Ａに用いることができる。
【０３３１】
＜絶縁膜５０１Ｃ＞
例えば、絶縁膜５２１に用いることができる材料を絶縁膜５０１Ｃに用いることができる。具体的には、シリコンおよび酸素を含む材料を絶縁膜５０１Ｃに用いることができる。これにより、画素回路または第２の表示素子等への不純物の拡散を抑制することができる。
【０３３２】
例えば、シリコン、酸素および窒素を含む厚さ２００ｎｍの膜を絶縁膜５０１Ｃに用いることができる。
【０３３３】
＜中間膜７５４Ａ、中間膜７５４Ｂ、中間膜７５４Ｃ＞
例えば、１０ｎｍ以上５００ｎｍ以下、好ましくは１０ｎｍ以上１００ｎｍ以下の厚さを有する膜を、中間膜７５４Ａ、中間膜７５４Ｂまたは中間膜７５４Ｃに用いることができる。なお、本明細書において、中間膜７５４Ａ、中間膜７５４Ｂまたは中間膜７５４Ｃを中間膜という。
【０３３４】
例えば、水素を透過または供給する機能を備える材料を中間膜に用いることができる。
【０３３５】
例えば、導電性を備える材料を中間膜に用いることができる。
【０３３６】
例えば、透光性を備える材料を中間膜に用いることができる。
【０３３７】
具体的には、インジウムおよび酸素を含む材料、インジウム、ガリウム、亜鉛および酸素を含む材料またはインジウム、スズおよび酸素を含む材料等を中間膜に用いることができる。なお、これらの材料は水素を透過する機能を備える。
【０３３８】
具体的には、インジウム、ガリウム、亜鉛および酸素を含む厚さ５０ｎｍの膜または厚さ１００ｎｍの膜を中間膜に用いることができる。
【０３３９】
なお、エッチングストッパーとして機能する膜が積層された材料を中間膜に用いることができる。具体的には、インジウム、ガリウム、亜鉛および酸素を含む厚さ５０ｎｍの膜と、インジウム、スズおよび酸素を含む厚さ２０ｎｍの膜と、をこの順で積層した積層材料を中間膜に用いることができる。
【０３４０】
＜配線、端子、導電膜＞
導電性を備える材料を配線等に用いることができる。具体的には、導電性を備える材料を、信号線Ｓ１（ｊ）、信号線Ｓ２（ｊ）、走査線Ｇ１（ｉ）、走査線Ｇ２（ｉ）、配線ＣＳＣＯＭ、第３の導電膜ＡＮＯ、端子５１９Ｂ、端子５１９Ｃ、端子７１９、導電膜５１１Ｂまたは導電膜５１１Ｃ等に用いることができる。
【０３４１】
例えば、無機導電性材料、有機導電性材料、金属または導電性セラミックスなどを配線等に用いることができる。
【０３４２】
具体的には、アルミニウム、金、白金、銀、銅、クロム、タンタル、チタン、モリブデン、タングステン、ニッケル、鉄、コバルト、パラジウムまたはマンガンから選ばれた金属元素などを、配線等に用いることができる。または、上述した金属元素を含む合金などを、配線等に用いることができる。特に、銅とマンガンの合金がウエットエッチング法を用いた微細加工に好適である。
【０３４３】
具体的には、アルミニウム膜上にチタン膜を積層する二層構造、窒化チタン膜上にチタン膜を積層する二層構造、窒化チタン膜上にタングステン膜を積層する二層構造、窒化タンタル膜または窒化タングステン膜上にタングステン膜を積層する二層構造、チタン膜と、そのチタン膜上にアルミニウム膜を積層し、さらにその上にチタン膜を形成する三層構造等を配線等に用いることができる。
【０３４４】
具体的には、酸化インジウム、インジウム錫酸化物、インジウム亜鉛酸化物、酸化亜鉛、ガリウムを添加した酸化亜鉛などの導電性酸化物を、配線等に用いることができる。
【０３４５】
具体的には、グラフェンまたはグラファイトを含む膜を配線等に用いることができる。
【０３４６】
例えば、酸化グラフェンを含む膜を形成し、酸化グラフェンを含む膜を還元することにより、グラフェンを含む膜を形成することができる。還元する方法としては、熱を加える方法や還元剤を用いる方法等を挙げることができる。
【０３４７】
例えば、金属ナノワイヤーを含む膜を配線等に用いることができる。具体的には、銀を含むナノワイヤーを用いることができる。
【０３４８】
具体的には、導電性高分子を配線等に用いることができる。
【０３４９】
なお、例えば、導電材料ＡＣＦ１を用いて、端子５１９Ｂとフレキシブルプリント基板ＦＰＣ１を電気的に接続することができる。
【０３５０】
＜第１の導電膜、第２の導電膜＞
例えば、配線等に用いることができる材料を第１の導電膜または第２の導電膜に用いることができる。
【０３５１】
また、第１の電極７５１（ｉ，ｊ）または配線等を第１の導電膜に用いることができる。
【０３５２】
また、スイッチＳＷ１に用いることができるトランジスタのソース電極またはドレイン電極として機能する導電膜５１２Ｂまたは配線等を第２の導電膜に用いることができる。
【０３５３】
＜第１の表示素子７５０（ｉ，ｊ）＞
例えば、光の反射または透過を制御する機能を備える表示素子を、第１の表示素子７５０（ｉ，ｊ）に用いることができる。例えば、液晶素子と偏光板を組み合わせた構成またはシャッター方式のＭＥＭＳ表示素子等を用いることができる。具体的には、反射型の液晶表示素子を第１の表示素子７５０（ｉ，ｊ）に用いることができる。反射型の表示素子を用いることにより、表示パネルの消費電力を抑制することができる。
【０３５４】
例えば、ＩＰＳ（Ｉｎ−Ｐｌａｎｅ−Ｓｗｉｔｃｈｉｎｇ）モード、ＴＮ（Ｔｗｉｓｔｅｄ  Ｎｅｍａｔｉｃ）モード、ＦＦＳ（Ｆｒｉｎｇｅ  Ｆｉｅｌｄ  Ｓｗｉｔｃｈｉｎｇ）モード、ＡＳＭ（Ａｘｉａｌｌｙ  Ｓｙｍｍｅｔｒｉｃ  ａｌｉｇｎｅｄ  Ｍｉｃｒｏ−ｃｅｌｌ）モード、ＯＣＢ（Ｏｐｔｉｃａｌｌｙ  Ｃｏｍｐｅｎｓａｔｅｄ  Ｂｉｒｅｆｒｉｎｇｅｎｃｅ）モード、ＦＬＣ（Ｆｅｒｒｏｅｌｅｃｔｒｉｃ  Ｌｉｑｕｉｄ  Ｃｒｙｓｔａｌ）モード、ＡＦＬＣ（ＡｎｔｉＦｅｒｒｏｅｌｅｃｔｒｉｃ  Ｌｉｑｕｉｄ  Ｃｒｙｓｔａｌ）モードなどの駆動方法を用いて駆動することができる液晶素子を用いることができる。
【０３５５】
また、例えば垂直配向（ＶＡ）モード、具体的には、ＭＶＡ（Ｍｕｌｔｉ−Ｄｏｍａｉｎ  Ｖｅｒｔｉｃａｌ  Ａｌｉｇｎｍｅｎｔ）モード、ＰＶＡ（Ｐａｔｔｅｒｎｅｄ  Ｖｅｒｔｉｃａｌ  Ａｌｉｇｎｍｅｎｔ）モード、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モード、ＣＰＡ（Ｃｏｎｔｉｎｕｏｕｓ  Ｐｉｎｗｈｅｅｌ  Ａｌｉｇｎｍｅｎｔ）モード、ＡＳＶ（Ａｄｖａｎｃｅｄ  Ｓｕｐｅｒ−Ｖｉｅｗ）モードなどの駆動方法を用いて駆動することができる液晶素子を用いることができる。
【０３５６】
第１の表示素子７５０（ｉ，ｊ）は、第１電極と、第２電極と、液晶材料を含む層と、を有する。液晶材料を含む層は、第１電極および第２電極の間の電圧を用いて配向を制御することができる液晶材料を含む。例えば、液晶材料を含む層の厚さ方向（縦方向ともいう）、縦方向と交差する方向（横方向または斜め方向ともいう）の電界を、液晶材料の配向を制御する電界に用いることができる。
【０３５７】
＜液晶材料を含む層７５３＞
例えば、サーモトロピック液晶、低分子液晶、高分子液晶、高分子分散型液晶、強誘電性液晶、反強誘電性液晶等を、液晶材料を含む層に用いることができる。または、コレステリック相、スメクチック相、キュービック相、カイラルネマチック相、等方相等を示す液晶材料を用いることができる。または、ブルー相を示す液晶材料を用いることができる。
【０３５８】
＜第１の電極７５１（ｉ，ｊ）＞
例えば、配線等に用いる材料を第１の電極７５１（ｉ，ｊ）に用いることができる。具体的には、反射膜を第１の電極７５１（ｉ，ｊ）に用いることができる。例えば、透光性を備える導電膜と、開口部を備える反射膜と、を積層した材料を第１の電極７５１（ｉ，ｊ）に用いることができる。
【０３５９】
＜反射膜＞
例えば、可視光を反射する材料を反射膜に用いることができる。具体的には、銀を含む材料を反射膜に用いることができる。例えば、銀およびパラジウム等を含む材料または銀および銅等を含む材料を反射膜に用いることができる。
【０３６０】
反射膜は、例えば、液晶材料を含む層７５３を透過してくる光を反射する。これにより、第１の表示素子７５０を反射型の液晶素子にすることができる。また、例えば、表面に凹凸を備える材料を、反射膜に用いることができる。これにより、入射する光をさまざまな方向に反射して、白色の表示をすることができる。
【０３６１】
例えば、第１の導電膜または第１の電極７５１（ｉ，ｊ）等を反射膜に用いることができる。
【０３６２】
例えば、液晶材料を含む層７５３と第１の電極７５１（ｉ，ｊ）の間に挟まれる領域を備える膜を、反射膜に用いることができる。または、液晶材料を含む層７５３との間に透光性を有する第１の電極７５１（ｉ，ｊ）を挟む領域を備える膜を、反射膜に用いることができる。
【０３６３】
反射膜は、例えば第２の表示素子５５０（ｉ，ｊ）が射出する光を遮らない領域が形成される形状を備える。
【０３６４】
例えば、単数または複数の開口部を備える形状を反射膜に用いることができる。
【０３６５】
多角形、四角形、楕円形、円形または十字等の形状を開口部に用いることができる。また、細長い筋状、スリット状、市松模様状の形状を開口部７５１Ｈに用いることができる。
【０３６６】
非開口部の総面積に対する開口部７５１Ｈの総面積の比の値が大きすぎると、第１の表示素子７５０（ｉ，ｊ）を用いた表示が暗くなってしまう。
【０３６７】
また、非開口部の総面積に対する開口部７５１Ｈの総面積の比の値が小さすぎると、第２の表示素子５５０（ｉ，ｊ）を用いた表示が暗くなってしまう。または、第２の表示素子５５０（ｉ，ｊ）の信頼性を損なう場合がある。
【０３６８】
例えば、画素７０２（ｉ，ｊ）に隣接する画素７０２（ｉ，ｊ＋１）の開口部７５１Ｈは、画素７０２（ｉ，ｊ）の開口部７５１Ｈを通る行方向（図中に矢印Ｒ１で示す方向）に延びる直線上に配設されない（図１７（Ａ）参照）。または、例えば、画素７０２（ｉ，ｊ）に隣接する画素７０２（ｉ＋１，ｊ）の開口部７５１Ｈは、画素７０２（ｉ，ｊ）の開口部７５１Ｈを通る、列方向（図中に矢印Ｃ１で示す方向）に延びる直線上に配設されない（図１７（Ｂ）参照）。
【０３６９】
例えば、画素７０２（ｉ，ｊ＋２）の開口部７５１Ｈは、画素７０２（ｉ，ｊ）の開口部７５１Ｈを通る、行方向に延びる直線上に配設される（図１７（Ａ）参照）。また、画素７０２（ｉ，ｊ＋１）の開口部７５１Ｈは、画素７０２（ｉ，ｊ）の開口部７５１Ｈおよび画素７０２（ｉ，ｊ＋２）の開口部７５１Ｈの間において当該直線と直交する直線上に配設される。
【０３７０】
または、例えば、画素７０２（ｉ＋２，ｊ）の開口部７５１Ｈは、画素７０２（ｉ，ｊ）の開口部７５１Ｈを通る、列方向に延びる直線上に配設される（図１７（Ｂ）参照）。また、例えば、画素７０２（ｉ＋１，ｊ）の開口部７５１Ｈは、画素７０２（ｉ，ｊ）の開口部７５１Ｈおよび画素７０２（ｉ＋２，ｊ）の開口部７５１Ｈの間において当該直線と直交する直線上に配設される。
【０３７１】
これにより、一の画素に隣接する他の画素の開口部に重なる領域を備える第２の素子を、一の画素の開口部に重なる領域を備える第２の表示素子から遠ざけることができる。または、一の画素に隣接する他の画素の第２の表示素子に、一の画素の第２の表示素子が表示する色とは異なる色を表示する表示素子を配設することができる。または、異なる色を表示する複数の表示素子を、隣接して配設する難易度を軽減することができる。その結果、利便性または信頼性に優れた新規な表示パネルを提供することができる。
【０３７２】
なお、例えば、第２の表示素子５５０（ｉ，ｊ）が射出する光を遮らない領域７５１Ｅが形成されるように、端部が切除されたような形状を備える材料を、反射膜に用いることができる（図１７（Ｃ）参照）。具体的には、列方向（図中に矢印Ｃ１で示す方向）が短くなるように端部が切除された第１の電極７５１（ｉ．ｊ）を反射膜に用いることができる。
【０３７３】
＜第２の電極７５２＞
例えば、導電性を備える材料を、第２の電極７５２に用いることができる。可視光について透光性を備える材料を、第２の電極７５２に用いることができる。
【０３７４】
例えば、導電性酸化物、光が透過する程度に薄い金属膜または金属ナノワイヤーを第２の電極７５２に用いることができる。
【０３７５】
具体的には、インジウムを含む導電性酸化物を第２の電極７５２に用いることができる。または、厚さ１ｎｍ以上１０ｎｍ以下の金属薄膜を第２の電極７５２に用いることができる。また、銀を含む金属ナノワイヤーを第２の電極７５２に用いることができる。
【０３７６】
具体的には、酸化インジウム、インジウム錫酸化物、インジウム亜鉛酸化物、酸化亜鉛、ガリウムを添加した酸化亜鉛、アルミニウムを添加した酸化亜鉛などを、第２の電極７５２に用いることができる。
【０３７７】
＜配向膜ＡＦ１、配向膜ＡＦ２＞
例えば、ポリイミド等を含む材料を配向膜ＡＦ１または配向膜ＡＦ２に用いることができる。具体的には、液晶材料が所定の方向に配向するようにラビング処理または光配向技術を用いて形成された材料を用いることができる。
【０３７８】
例えば、可溶性のポリイミドを含む膜を配向膜ＡＦ１または配向膜ＡＦ２に用いることができる。これにより、配向膜ＡＦ１を形成する際に必要とされる温度を低くすることができる。その結果、配向膜ＡＦ１を形成する際に他の構成に与える損傷を軽減することができる。
【０３７９】
＜着色膜ＣＦ１、着色膜ＣＦ２＞
所定の色の光を透過する材料を着色膜ＣＦ１または着色膜ＣＦ２に用いることができる。これにより、着色膜ＣＦ１または着色膜ＣＦ２を例えばカラーフィルターに用いることができる。例えば、青色、緑色または赤色の光を透過する材料を着色膜ＣＦ１または着色膜ＣＦ２に用いることができる。また、黄色の光または白色の光等を透過する材料を着色膜に用いることができる。
【０３８０】
なお、照射された光を所定の色の光に変換する機能を備える材料を着色膜ＣＦ２に用いることができる。具体的には、量子ドットを着色膜ＣＦ２に用いることができる。これにより、色純度の高い表示をすることができる。
【０３８１】
＜遮光膜ＢＭ＞
光の透過を妨げる材料を遮光膜ＢＭに用いることができる。これにより、遮光膜ＢＭを例えばブラックマトリクスに用いることができる。
【０３８２】
＜絶縁膜７７１＞
例えば、ポリイミド、エポキシ樹脂、アクリル樹脂等を絶縁膜７７１に用いることができる。
【０３８３】
＜機能膜７７０Ｐ、機能膜７７０Ｄ＞
例えば、反射防止フィルム、偏光フィルム、位相差フィルム、光拡散フィルムまたは集光フィルム等を機能膜７７０Ｐまたは機能膜７７０Ｄに用いることができる。
【０３８４】
具体的には、２色性色素を含む膜を機能膜７７０Ｐまたは機能膜７７０Ｄに用いることができる。または、基材の表面と交差する方向に沿った軸を備える柱状構造を有する材料を、機能膜７７０Ｐまたは機能膜７７０Ｄに用いることができる。これにより、光を軸に沿った方向に透過し易く、他の方向に散乱し易くすることができる。
【０３８５】
また、ゴミの付着を抑制する帯電防止膜、汚れを付着しにくくする撥水性の膜、使用に伴う傷の発生を抑制するハードコート膜などを、機能膜７７０Ｐに用いることができる。
【０３８６】
具体的には、円偏光フィルムを機能膜７７０Ｐに用いることができる。また、光拡散フィルムを機能膜７７０Ｄに用いることができる。
【０３８７】
＜第２の表示素子５５０（ｉ，ｊ）＞
例えば、発光素子を第２の表示素子５５０（ｉ，ｊ）に用いることができる。具体的には、有機エレクトロルミネッセンス素子、無機エレクトロルミネッセンス素子または発光ダイオードなどを、第２の表示素子５５０（ｉ，ｊ）に用いることができる。
【０３８８】
例えば、発光性の有機化合物を発光性の材料を含む層５５３（ｊ）に用いることができる。
【０３８９】
例えば、量子ドットを発光性の材料を含む層５５３（ｊ）に用いることができる。これにより、半値幅が狭く、鮮やかな色の光を発することができる。
【０３９０】
例えば、青色の光を射出するように積層された積層材料、緑色の光を射出するように積層された積層材料または赤色の光を射出するように積層された積層材料等を、発光性の材料を含む層５５３（ｊ）に用いることができる。
【０３９１】
例えば、信号線Ｓ２（ｊ）に沿って列方向に長い帯状の積層材料を、発光性の材料を含む層５５３（ｊ）に用いることができる。
【０３９２】
また、例えば、白色の光を射出するように積層された積層材料を、発光性の材料を含む層５５３（ｊ）に用いることができる。具体的には、青色の光を射出する蛍光材料を含む発光性の材料を含む層と、緑色および赤色の光を射出する蛍光材料以外の材料を含む層または黄色の光を射出する蛍光材料以外の材料を含む層と、を積層した積層材料を、発光性の材料を含む層５５３（ｊ）に用いることができる。
【０３９３】
例えば、配線等に用いることができる材料を第３の電極５５１（ｉ，ｊ）に用いることができる。
【０３９４】
例えば、配線等に用いることができる材料から選択された、可視光について透光性を有する材料を、第３の電極５５１（ｉ，ｊ）に用いることができる。
【０３９５】
具体的には、導電性酸化物またはインジウムを含む導電性酸化物、酸化インジウム、インジウム錫酸化物、インジウム亜鉛酸化物、酸化亜鉛、ガリウムを添加した酸化亜鉛などを、第３の電極５５１（ｉ，ｊ）に用いることができる。または、光が透過する程度に薄い金属膜を第３の電極５５１（ｉ，ｊ）に用いることができる。または、光の一部を透過し、光の他の一部を反射する金属膜を第３の電極５５１（ｉ，ｊ）に用いることができる。これにより、微小共振器構造を第２の表示素子５５０（ｉ，ｊ）に設けることができる。その結果、所定の波長の光を他の光より効率よく取り出すことができる。
【０３９６】
例えば、配線等に用いることができる材料を第４の電極５５２に用いることができる。具体的には、可視光について反射性を有する材料を、第４の電極５５２に用いることができる。
【０３９７】
＜駆動回路ＧＤ＞
シフトレジスタ等のさまざまな順序回路等を駆動回路ＧＤに用いることができる。例えば、トランジスタＭＤ、容量素子等を駆動回路ＧＤに用いることができる。具体的には、スイッチＳＷ１に用いることができるトランジスタまたはトランジスタＭと同一の工程で形成することができる半導体膜を備えるトランジスタを用いることができる。
【０３９８】
例えば、スイッチＳＷ１に用いることができるトランジスタと異なる構成をトランジスタＭＤに用いることができる。具体的には、導電膜５２４を有するトランジスタをトランジスタＭＤに用いることができる（図１３（Ｂ）参照）。
【０３９９】
なお、トランジスタＭと同一の構成を、トランジスタＭＤに用いることができる。
【０４００】
＜トランジスタ＞
例えば、同一の工程で形成することができる半導体膜を駆動回路および画素回路のトランジスタに用いることができる。
【０４０１】
例えば、ボトムゲート型のトランジスタまたはトップゲート型のトランジスタなどを駆動回路のトランジスタまたは画素回路のトランジスタに用いることができる。
【０４０２】
ところで、例えば、アモルファスシリコンを半導体に用いるボトムゲート型のトランジスタの製造ラインは、金属酸化物を半導体に用いるボトムゲート型のトランジスタの製造ラインに容易に改造できる。また、例えばポリシリコンを半導体に用いるトップゲート型のトランジスタの製造ラインは、金属酸化物を半導体に用いるトップゲート型のトランジスタの製造ラインに容易に改造できる。いずれの改造も、既存の製造ラインを有効に活用することができる。
【０４０３】
例えば、１４族の元素を含む半導体を半導体膜に用いるトランジスタを利用することができる。具体的には、シリコンを含む半導体を半導体膜に用いることができる。例えば、単結晶シリコン、ポリシリコン、微結晶シリコンまたはアモルファスシリコンなどを半導体膜に用いたトランジスタを用いることができる。
【０４０４】
なお、半導体にポリシリコンを用いるトランジスタの作製に要する温度は、半導体に単結晶シリコンを用いるトランジスタに比べて低い。
【０４０５】
また、ポリシリコンを半導体に用いるトランジスタの電界効果移動度は、アモルファスシリコンを半導体に用いるトランジスタに比べて高い。これにより、画素の開口率を向上することができる。また、極めて高い精細度で設けられた画素と、ゲート駆動回路およびソース駆動回路を同一の基板上に形成することができる。その結果、電子機器を構成する部品数を低減することができる。
【０４０６】
ポリシリコンを半導体に用いるトランジスタの信頼性は、アモルファスシリコンを半導体に用いるトランジスタに比べて優れる。
【０４０７】
また、化合物半導体を用いるトランジスタを利用することができる。具体的には、ガリウムヒ素を含む半導体を半導体膜に用いることができる。
【０４０８】
また、有機半導体を用いるトランジスタを利用することができる。具体的には、ポリアセン類またはグラフェンを含む有機半導体を半導体膜に用いることができる。
【０４０９】
例えば、金属酸化物を半導体膜に用いるトランジスタを利用することができる。具体的には、インジウムを含む金属酸化物またはインジウムとガリウムと亜鉛を含む金属酸化物を半導体膜に用いることができる。
【０４１０】
一例を挙げれば、オフ状態におけるリーク電流が、半導体膜にアモルファスシリコンを用いたトランジスタより小さいトランジスタを用いることができる。具体的には、金属酸化物を半導体膜に用いたトランジスタを用いることができる。
【０４１１】
これにより、アモルファスシリコンを半導体膜に用いたトランジスタを利用する画素回路と比較して、画素回路が画像信号を保持することができる時間を長くすることができる。具体的には、フリッカーの発生を抑制しながら、選択信号を３０Ｈｚ未満、好ましくは１Ｈｚ未満より好ましくは一分に一回未満の頻度で供給することができる。その結果、情報処理装置の使用者に蓄積する疲労を低減することができる。また、駆動に伴う消費電力を低減することができる。
【０４１２】
例えば、半導体膜５０８、導電膜５０４、導電膜５１２Ａおよび導電膜５１２Ｂを備えるトランジスタをスイッチＳＷ１に用いることができる（図１４（Ｂ）参照）。なお、絶縁膜５０６は、半導体膜５０８および導電膜５０４の間に挟まれる領域を備える。
【０４１３】
導電膜５０４は、半導体膜５０８と重なる領域を備える。導電膜５０４はゲート電極の機能を備える。絶縁膜５０６はゲート絶縁膜の機能を備える。
【０４１４】
導電膜５１２Ａおよび導電膜５１２Ｂは、半導体膜５０８と電気的に接続される。導電膜５１２Ａはソース電極の機能またはドレイン電極の機能の一方を備え、導電膜５１２Ｂはソース電極の機能またはドレイン電極の機能の他方を備える。
【０４１５】
また、導電膜５２４を有するトランジスタを、駆動回路または画素回路のトランジスタに用いることができる（図１３（Ｂ）参照）。導電膜５２４は、導電膜５０４との間に半導体膜５０８を挟む領域を備える。なお、絶縁膜５１６は、導電膜５２４および半導体膜５０８の間に挟まれる領域を備える。また、例えば、導電膜５０４と同じ電位を供給する配線に導電膜５２４を電気的に接続する。
【０４１６】
例えば、タンタルおよび窒素を含む厚さ１０ｎｍの膜と、銅を含む厚さ３００ｎｍの膜と、を積層した導電膜を導電膜５０４に用いることができる。なお、銅を含む膜は、絶縁膜５０６との間に、タンタルおよび窒素を含む膜を挟む領域を備える。
【０４１７】
例えば、シリコンおよび窒素を含む厚さ４００ｎｍの膜と、シリコン、酸素および窒素を含む厚さ２００ｎｍの膜と、を積層した材料を絶縁膜５０６に用いることができる。なお、シリコンおよび窒素を含む膜は、半導体膜５０８との間に、シリコン、酸素および窒素を含む膜を挟む領域を備える。
【０４１８】
例えば、インジウム、ガリウムおよび亜鉛を含む厚さ２５ｎｍの膜を、半導体膜５０８に用いることができる。
【０４１９】
例えば、タングステンを含む厚さ５０ｎｍの膜と、アルミニウムを含む厚さ４００ｎｍの膜と、チタンを含む厚さ１００ｎｍの膜と、をこの順で積層した導電膜を、導電膜５１２Ａまたは導電膜５１２Ｂに用いることができる。なお、タングステンを含む膜は、半導体膜５０８と接する領域を備える。
【０４２０】
なお、本実施の形態は、本明細書で示す他の実施の形態と適宜組み合わせることができる。
【０４２１】
（実施の形態６）
本実施の形態では、本発明の一態様の情報処理装置の備える、入出力装置の構成について、図１８乃至図２１を参照しながら説明する。
【０４２２】
図１８は本発明の一態様の入出力装置の構成を説明するブロック図である。
【０４２３】
図１９は本発明の一態様の入出力装置に用いることができる入出力パネルの構成を説明する図である。図１９（Ａ）は入出力パネルの上面図である。図１９（Ｂ−１）は入出力パネルの入力部の一部を説明する模式図であり、図１９（Ｂ−２）は図１９（Ｂ−１）の一部を説明する模式図である。図１９（Ｃ）は入出力装置に用いることができる画素７０２（ｉ，ｊ）の構成を説明する模式図である。
【０４２４】
図２０および図２１は本発明の一態様の入出力装置に用いることができる入出力パネルの構成を説明する図である。図２０（Ａ）は図１９（Ａ）の切断線Ｘ１−Ｘ２、切断線Ｘ３−Ｘ４、切断線Ｘ５−Ｘ６における断面図であり、図２０（Ｂ）は図２０（Ａ）の一部の構成を説明する断面図である。
【０４２５】
図２１は図１９（Ａ）の切断線Ｘ７−Ｘ８、Ｘ９−Ｘ１０、Ｘ１１−Ｘ１２における断面図である。
【０４２６】
＜入出力装置の構成例１．＞
本実施の形態で説明する入出力装置は、表示部２３０と、入力部２４０と、を有する（図１８参照）。なお、入出力装置は、入出力パネル７００ＴＰ２を備える。
【０４２７】
入力部２４０は検知領域２４１を備え、検知領域２４１は表示部２３０の表示領域２３１と重なる領域を備える。検知領域２４１は、表示領域２３１と重なる領域に近接するものを検知する機能を備える（図２０（Ａ）参照）。
【０４２８】
＜入力部２４０＞
入力部２４０は、検知領域２４１、発振回路ＯＳＣおよび検知回路ＤＣを備える（図１８参照）。
【０４２９】
検知領域２４１は、一群の検知素子７７５（ｇ，１）乃至検知素子７７５（ｇ，ｑ）と、他の一群の検知素子７７５（１，ｈ）乃至検知素子７７５（ｐ，ｈ）と、を有する図１８。なお、ｇは１以上ｐ以下の整数であり、ｈは１以上ｑ以下の整数であり、ｐおよびｑは１以上の整数である。
【０４３０】
一群の検知素子７７５（ｇ，１）乃至検知素子７７５（ｇ，ｑ）は、検知素子７７５（ｇ，ｈ）を含み、行方向（図中に矢印Ｒ２で示す方向）に配設される。なお、図１８に矢印Ｒ２で示す方向は、図１８に矢印Ｒ１で示す方向と同じであっても良いし、異なっていてもよい。
【０４３１】
また、他の一群の検知素子７７５（１，ｈ）乃至検知素子７７５（ｐ，ｈ）は、検知素子７７５（ｇ，ｈ）を含み、行方向と交差する列方向（図中に矢印Ｃ２で示す方向）に配設される。
【０４３２】
行方向に配設される一群の検知素子７７５（ｇ，１）乃至検知素子７７５（ｇ，ｑ）は、制御線ＣＬ（ｇ）と電気的に接続される電極Ｃ（ｇ）を含む（図１９（Ｂ−２）参照）。
【０４３３】
列方向に配設される他の一群の検知素子７７５（１，ｈ）乃至検知素子７７５（ｐ，ｈ）は、検知信号線ＭＬ（ｈ）と電気的に接続される電極Ｍ（ｈ）を含む。
【０４３４】
制御線ＣＬ（ｇ）は、導電膜ＢＲ（ｇ，ｈ）を含む（図２０（Ａ）参照）。導電膜ＢＲ（ｇ，ｈ）は、検知信号線ＭＬ（ｈ）と重なる領域を備える。
【０４３５】
絶縁膜７０６は、検知信号線ＭＬ（ｈ）および導電膜ＢＲ（ｇ，ｈ）の間に挟まれる領域を備える。これにより、検知信号線ＭＬ（ｈ）および導電膜ＢＲ（ｇ，ｈ）の短絡を防止することができる。
【０４３６】
＜検知素子７７５（ｇ，ｈ）＞
検知素子７７５（ｇ，ｈ）は、制御線ＣＬ（ｇ）および検知信号線ＭＬ（ｈ）と電気的に接続される。
【０４３７】
検知素子７７５（ｇ，ｈ）は透光性を備える。検知素子７７５（ｇ，ｈ）は、電極Ｃ（ｇ）と、電極Ｍ（ｈ）と、を備える。
【０４３８】
例えば、画素７０２（ｉ，ｊ）と重なる領域に開口部を備える導電膜を、電極Ｃ（ｇ）およびＭＬ（ｈ）に用いることができる。これにより、表示パネルの表示を遮ることなく、表示パネルと重なる領域に近接するものを検知することができる。また、入出力装置の厚さを薄くすることができる。その結果、利便性または信頼性に優れた新規な入出力装置を提供することができる。
【０４３９】
電極Ｃ（ｇ）は、制御線ＣＬ（ｇ）と電気的に接続される。
【０４４０】
電極Ｍ（ｈ）は、検知信号線ＭＬ（ｈ）と電気的に接続され、電極Ｍ（ｈ）は、表示パネル７００と重なる領域に近接するものによって一部が遮られる電界を、電極Ｃ（ｇ）との間に形成するように配置される。
【０４４１】
制御線ＣＬ（ｇ）は、制御信号を供給する機能を備える。
【０４４２】
検知信号線ＭＬ（ｈ）は検知信号を供給される機能を備える。
【０４４３】
検知素子７７５（ｇ，ｈ）は表示パネル７００と重なる領域に近接するものとの距離および制御信号に基づいて変化する検知信号を供給する機能を備える。
【０４４４】
これにより、表示装置を用いて画像情報を表示しながら、表示装置と重なる領域に近接するものを検知することができる。その結果、利便性または信頼性に優れた新規な入出力装置を提供することができる。
【０４４５】
＜発振回路ＯＳＣ＞
発振回路ＯＳＣは、制御線ＣＬ（ｇ）と電気的に接続され、制御信号を供給する機能を備える。例えば、矩形波、のこぎり波また三角波等を制御信号に用いることができる。
【０４４６】
＜検知回路ＤＣ＞
検知回路ＤＣは、検知信号線ＭＬ（ｈ）と電気的に接続され、検知信号線ＭＬ（ｈ）の電位の変化に基づいて検知信号を供給する機能を備える。なお、検知信号は、例えば、位置情報Ｐ１を含む。一例をあげて換言すれば、位置情報Ｐ１はタッチパネル上で触れた指の位置の情報を含む。
【０４４７】
＜表示部２３０＞
例えば、実施の形態１において説明する表示装置を表示部２３０に用いることができる。
【０４４８】
＜入出力パネル７００ＴＰ２＞
入出力パネル７００ＴＰ２は、機能層７２０を備える点およびトップゲート型のトランジスタを有する点が、例えば、実施の形態２において説明する表示パネル７００とは異なる。ここでは、異なる部分について詳細に説明し、同様の構成を用いることができる部分について上記の説明を援用する。
【０４４９】
＜機能層７２０＞
機能層７２０は、例えば、基板７７０、絶縁膜５０１Ｃおよび封止材７０５に囲まれる領域を備える（図２０または図２１参照）。
【０４５０】
機能層７２０は、例えば、制御線ＣＬ（ｇ）と、検知信号線ＭＬ（ｈ）と、検知素子７７５（ｇ，ｈ）と、を備える。
【０４５１】
なお、制御線ＣＬ（ｇ）および第２の電極７５２の間または検知信号線ＭＬ（ｈ）および第２の電極７５２の間に、０．２μｍ以上１６μｍ以下、好ましくは１μｍ以上８μｍ以下、より好ましくは２．５μｍ以上４μｍ以下の間隔を備える。
【０４５２】
＜導電膜５１１Ｄ＞
また、本実施の形態で説明する入出力パネル７００ＴＰ２は、導電膜５１１Ｄを有す（図２１参照）。
【０４５３】
なお、制御線ＣＬ（ｇ）および導電膜５１１Ｄの間に導電材料ＣＰ等を配設し、制御線ＣＬ（ｇ）と導電膜５１１Ｄを電気的に接続することができる。または、検知信号線ＭＬ（ｈ）および導電膜５１１Ｄの間に導電材料ＣＰ等を配設し、検知信号線ＭＬ（ｈ）と導電膜５１１Ｄを、電気的に接続することができる。
例えば、配線等に用いることができる材料を導電膜５１１Ｄに用いることができる。
【０４５４】
＜端子５１９Ｄ＞
また、本実施の形態で説明する入出力パネル７００ＴＰ２は、端子５１９Ｄを有する。端子５１９Ｄは、導電膜５１１Ｄと電気的に接続する。
【０４５５】
端子５１９Ｄは、導電膜５１１Ｄと、中間膜７５４Ｄと、を備え、中間膜７５４Ｄは、導電膜５１１Ｄと接する領域を備える。
【０４５６】
例えば、配線等に用いることができる材料を端子５１９Ｄに用いることができる。具体的には、端子５１９Ｂまたは端子５１９Ｃと同じ構成を端子５１９Ｄに用いることができる（図２１参照）。
【０４５７】
なお、例えば、導電材料ＡＣＦ２を用いて、端子５１９Ｄとフレキシブルプリント基板ＦＰＣ２を電気的に接続することができる。これにより、例えば、端子５１９Ｄを用いて制御信号を制御線ＣＬ（ｇ）に供給することができる。または、端子５１９Ｄを用いて検知信号を、検知信号線ＭＬ（ｈ）から供給されることができる。
【０４５８】
＜スイッチＳＷ１、トランジスタＭ、トランジスタＭＤ＞
スイッチＳＷ１に用いることができるトランジスタ、トランジスタＭおよびトランジスタＭＤは、絶縁膜５０１Ｃと重なる領域を備える導電膜５０４と、絶縁膜５０１Ｃおよび導電膜５０４の間に挟まれる領域を備える半導体膜５０８と、を備える。なお、導電膜５０４はゲート電極の機能を備える（図２０（Ｂ）参照）。
【０４５９】
半導体膜５０８は、導電膜５０４と重ならない第１の領域５０８Ａおよび第２の領域５０８Ｂと、第１の領域５０８Ａおよび第２の領域５０８Ｂの間に導電膜５０４と重なる第３の領域５０８Ｃと、を備える。
【０４６０】
トランジスタＭＤは、第３の領域５０８Ｃおよび導電膜５０４の間に絶縁膜５０６を備える。なお、絶縁膜５０６はゲート絶縁膜の機能を備える。
【０４６１】
第１の領域５０８Ａおよび第２の領域５０８Ｂは、第３の領域５０８Ｃに比べて抵抗率が低く、ソース領域の機能またはドレイン領域の機能を備える。
【０４６２】
例えば、金属酸化物膜に希ガスを含むガスを用いるプラズマ処理を施して、第１の領域５０８Ａおよび第２の領域５０８Ｂを半導体膜５０８に形成することができる。
【０４６３】
また、例えば、導電膜５０４をマスクに用いることができる。これにより、第３の領域５０８Ｃの一部の形状を、導電膜５０４の端部の形状に自己整合させることができる。
【０４６４】
トランジスタＭＤは、第１の領域５０８Ａと接する導電膜５１２Ａと、第２の領域５０８Ｂと接する導電膜５１２Ｂと、を備える。導電膜５１２Ａおよび導電膜５１２Ｂは、ソース電極またはドレイン電極の機能を備える。
【０４６５】
例えば、トランジスタＭＤと同一の工程で形成することができるトランジスタをトランジスタＭに用いることができる。
【０４６６】
なお、本実施の形態は、本明細書で示す他の実施の形態と適宜組み合わせることができる。
【０４６７】
（実施の形態７）
本実施の形態では、本発明の一態様の情報処理装置の構成について、図２２乃至図２４を参照しながら説明する。
【０４６８】
図２２は本発明の一態様の情報処理装置の構成を説明するブロック図である。
【０４６９】
図２３は、本発明の一態様のプログラムを説明するフローチャートである。図２３（Ａ）は、本発明の一態様のプログラムの主の処理を説明するフローチャートであり、図２３（Ｂ）は、割り込み処理を説明するフローチャートである。
【０４７０】
図２４は、本発明の一態様のプログラムの割り込み処理を説明するフローチャートである。
【０４７１】
＜情報処理装置の構成例１．＞
本実施の形態で説明する情報処理装置２００は、入出力装置２２０と、演算装置２１０と、を有する（図２２参照）。入出力装置２２０は、演算装置２１０と電気的に接続される。
【０４７２】
入出力装置２２０は表示部２３０および入力部２４０を備える（図２２参照）。入出力装置２２０は検知部２５０を備える。また、入出力装置２２０は通信部２９０を備えることができる。
【０４７３】
入出力装置２２０は画像情報Ｖ１と、画像情報Ｖ２と、を供給される機能を備え、位置情報Ｐ１または検知情報ＳＥ１を供給する機能を備える。但し実施の形態４で示されたように、表示部２３０が第１の表示素子と第２の表示素子とを有するとき、制御情報ＳＳと合わせて供給する機能を備える。また入出力装置２２０は、検知情報ＳＥ２、検知情報ＳＥ３、を供給する機能を備えても良い。
【０４７４】
演算装置２１０は位置情報Ｐ１または検知情報ＳＥ１を供給させる機能を備える。演算装置２１０は、検知情報ＳＥ２、検知情報ＳＥ３を供給させる機能を備えても良い。演算装置２１０は画像情報Ｖ１と画像情報Ｖ２とを供給する機能を備える。演算装置２１０は、例えば、位置情報Ｐ１または検知情報ＳＥ１に基づいて動作する機能を備える。
【０４７５】
なお、筐体は入出力装置２２０または演算装置２１０を収納する機能を備える。または、筐体は表示部２３０または演算装置２１０を支持する機能を備える。
【０４７６】
表示部２３０は画像情報Ｖ１と画像情報Ｖ２とに基づいて画像を表示する機能を備える。但し実施の形態４で示されたように、表示部２３０が第１の表示素子と第２の表示素子とを有するとき、表示部２３０は制御情報ＳＳに基づいて画像を表示する機能を備える。
【０４７７】
入力部２４０は、位置情報Ｐ１を供給する機能を備える。
【０４７８】
検知部２５０は検知情報ＳＥ１を供給する機能を備える。また検知部２５０は、検知情報ＳＥ２、検知情報ＳＥ３、を供給する機能を備えても良い。
【０４７９】
検知部２５０は、折り曲げ可能な入出力装置２２０の有するヒンジに設けられた角度センサより供給された角度情報を供給する機能を備える。また、入出力装置２２０の有する撮像手段より供給された画像情報を供給する機能を備える。また、また、入出力装置２２０の有する位置情報取得手段より供給された位置情報を供給する機能を備える。
【０４８０】
他に、例えば、情報処理装置２００が使用される環境の照度を検出する機能を備え、照度情報を供給する機能を備えても良い。検知部２５０は、例えば、情報処理装置２００が使用される環境の環境光の色度を検出する機能を備え、照度情報を供給する機能を備える。
【０４８１】
これにより、情報処理装置は、角度情報、画像情報、位置情報、以外にも、情報処理装置が使用される環境において、情報処理装置の筐体が受ける光の強さを把握して動作することができる。その結果、利便性または信頼性に優れた新規な情報処理装置を提供することができる。
【０４８２】
表示部２３０が第１の表示素子と第２の表示素子とを有するとき、情報処理装置の使用者は、表示方法を選択することができる。具体的には、第１の表示素子を用いる表示方法を選択し、例えば、電力の消費を抑制することができる。または、第２の表示素子を用いる方法を選択し、例えば、暗い場所で表示をすることができる。または、第１の表示素子および第２の表示素子を用いる方法を選択し、第１の表示素子のみを用いた表示に比べて、視認性を高めて文字情報を表示することができる。第１の表示素子のみを用いた表示に比べて、視認性を高めて模式図を表示することができる。第１の表示素子のみを用いた表示に比べて、メリハリのある表示をすることができる。その結果、利便性または信頼性に優れた新規な情報処理装置を提供することができる。
【０４８３】
以下に、情報処理装置を構成する個々の要素について説明する。なお、これらの構成は明確に分離できず、一つの構成が他の構成を兼ねる場合や他の構成の一部を含む場合がある。例えばタッチセンサが表示パネルに重ねられたタッチパネルは、表示部であるとともに入力部でもある。
【０４８４】
＜構成例＞
本発明の一態様の情報処理装置２００は、筐体または演算装置２１０を有する。
【０４８５】
演算装置２１０は、演算部２１１、記憶部２１２、伝送路２１４、入出力インターフェース２１５を備える。
【０４８６】
また、本発明の一態様の情報処理装置は、入出力装置２２０を有する。
【０４８７】
入出力装置２２０は、表示部２３０、入力部２４０、検知部２５０および通信部２９０を備える。
【０４８８】
＜情報処理装置＞
本発明の一態様の情報処理装置は、演算装置２１０または入出力装置２２０を備える。
【０４８９】
＜演算装置２１０＞
演算装置２１０は、演算部２１１および記憶部２１２を備える。また、伝送路２１４および入出力インターフェース２１５を備える。
【０４９０】
＜演算部２１１＞
演算部２１１は、例えばプログラムを実行する機能を備える。
【０４９１】
＜記憶部２１２＞
記憶部２１２は、例えば演算部２１１が実行するプログラム、初期情報、設定情報または画像等を記憶する機能を有する。
【０４９２】
具体的には、ハードディスク、フラッシュメモリまたは金属酸化物を含むトランジスタを用いたメモリ等を用いることができる。
【０４９３】
＜入出力インターフェース２１５、伝送路２１４＞
入出力インターフェース２１５は端子または配線を備え、情報を供給し、情報を供給される機能を備える。例えば、伝送路２１４と電気的に接続することができる。また、入出力装置２２０と電気的に接続することができる。
【０４９４】
伝送路２１４は配線を備え、情報を供給し、情報を供給される機能を備える。例えば、入出力インターフェース２１５と電気的に接続することができる。また、演算部２１１、記憶部２１２または入出力インターフェース２１５と電気的に接続することができる。
【０４９５】
＜入出力装置２２０＞
入出力装置２２０は、表示部２３０、入力部２４０、検知部２５０または通信部２９０を備える。例えば、実施の形態３において説明する入出力装置を用いることができる。これにより、消費電力を低減することができる。
【０４９６】
＜表示部２３０＞
表示部２３０は、制御部２３８と、駆動回路ＧＤと、駆動回路ＳＤと、表示パネル７００と、を有する（図１０参照）。例えば、実施の形態１で説明する表示装置を表示部２３０に用いることができる。
【０４９７】
＜入力部２４０＞
さまざまなヒューマンインターフェイス等を入力部２４０に用いることができる（図２２参照）。
【０４９８】
例えば、キーボード、マウス、タッチセンサ、マイクまたはカメラ等を入力部２４０に用いることができる。なお、表示部２３０に重なる領域を備えるタッチセンサを用いることができる。表示部２３０と表示部２３０に重なる領域を備えるタッチセンサを備える入出力装置を、タッチパネルまたはタッチスクリーンということができる。
【０４９９】
例えば、使用者は、タッチパネルに触れた指をポインタに用いて様々なジェスチャー（タップ、ドラッグ、スワイプまたはピンチイン等）をすることができる。
【０５００】
例えば、演算装置２１０は、タッチパネルに接触する指の位置または軌跡等の情報を解析し、解析結果が所定の条件を満たすとき、特定のジェスチャーが供給されたとすることができる。これにより、使用者は、所定のジェスチャーにあらかじめ関連付けられた所定の操作命令を、当該ジェスチャーを用いて供給できる。
【０５０１】
一例を挙げれば、使用者は、画像情報の表示位置を変更する「スクロール命令」を、タッチパネルに沿ってタッチパネルに接触する指を移動するジェスチャーを用いて供給できる。
【０５０２】
＜検知部２５０＞
検知部２５０は、周囲の状態を検知して検知情報を供給する機能を備える。具体的には、照度情報、姿勢情報、圧力情報、位置情報等を供給できる。
【０５０３】
例えば、光検出器、姿勢検出器、加速度センサ、方位センサ、ＧＰＳ（Ｇｌｏｂａｌ  ｐｏｓｉｔｉｏｎｉｎｇ  Ｓｙｓｔｅｍ）信号受信回路、圧力センサ、温度センサ、湿度センサまたはカメラ等を、検知部２５０に用いることができる。
【０５０４】
＜通信部２９０＞
通信部２９０は、ネットワークに情報を供給し、ネットワークから情報を取得する機能を備える。
【０５０５】
＜プログラム＞
本発明の一態様のプログラムは、実施の形態１で示された、角度情報を読み込み、第２の画像１２２の表示位置を決定するステップを有する（図１１参照）。
【０５０６】
但し、本発明の一態様の入出力装置が、表示パネルに第１の表示素子と、第２の表示素子とを有するとき、開始から角度情報読み込み（図１１（Ｔ１）参照）、を代表とする適当な個所に、図２３（Ａ）、図２３（Ｂ）、図２４で示される、下記のステップを有するプログラムを用いても良い。
【０５０７】
［第１のステップ］
第１のステップにおいて、設定を初期化する（図２３（Ａ）（Ｓ１）参照）。
【０５０８】
具体的には、カメラ１１３で撮像した第１の画像１２１を第１の表示方法、第２の画像１２２を第２の表示方法に用いることができる。また、第１のモードまたは第２のモードを所定のモードに用いることができる。
【０５０９】
［第２のステップ］
第２のステップにおいて、割り込み処理を許可する（図２３（Ａ）（Ｓ２）参照）。なお、割り込み処理が許可された演算装置２１０は、主の処理と並行して割り込み処理を行うことができる。割り込み処理から主の処理に復帰した演算装置２１０は、割り込み処理をして得た結果を主の処理に反映することができる。
【０５１０】
なお、カウンタの値が初期値であるとき、演算装置２１０に割り込み処理をさせ、割り込み処理から復帰する際に、カウンタを初期値以外の値としてもよい。これにより、プログラムを起動した後に常に割り込み処理をさせることができる。
【０５１１】
［第３のステップ］
第３のステップにおいて、第１のステップまたは割り込み処理において選択された、所定のモードまたは所定の表示方法を用いて情報を表示する（図２３（Ａ）（Ｓ３）参照）。なお、所定のモードは情報を表示するモードを特定し、所定の表示方法は画像情報を表示する方法を特定する。例えば、情報Ｖ１１または情報Ｖ１２を表示する情報に用いることができる。
【０５１２】
例えば、カメラ１１３で撮像した第１の画像１２１を第１の表示方法で表示する場合、画像の動きは早いことから、第１のモードに関連付けることができる。また、第２の画像１２２を第２の表示方法で表示し、かつ画像が頻繁に動かない場合、第２のモードに関連付けることができる。このように、画像に最適なモードや表示方法にて、表示することができる。
【０５１３】
＜第１のモード＞
具体的には、３０Ｈｚ以上、好ましくは６０Ｈｚ以上の頻度で一の走査線に選択信号を供給し、選択信号に基づいて表示をする方法を、第１のモードに関連付けることができる。
【０５１４】
例えば、３０Ｈｚ以上、好ましくは６０Ｈｚ以上の頻度で選択信号を供給すると、動画像の動きを滑らかに表示することができる。
【０５１５】
例えば、３０Ｈｚ以上、好ましくは６０Ｈｚ以上の頻度で画像を更新すると、使用者の操作に滑らかに追従するように変化する画像を、使用者が操作中の情報処理装置２００に表示することができる。
【０５１６】
＜第２のモード＞
具体的には、３０Ｈｚ未満、好ましくは１Ｈｚ未満より好ましくは一分に一回未満の頻度で一の走査線に選択信号を供給し、選択信号に基づいて表示をする方法を、第２のモードに関連付けることができる。
【０５１７】
３０Ｈｚ未満、好ましくは１Ｈｚ未満より好ましくは一分に一回未満の頻度で選択信号を供給すると、フリッカーまたはちらつきが抑制された表示をすることができる。また、消費電力を低減することができる。
【０５１８】
例えば、情報処理装置２００を時計に用いる場合、１秒に一回の頻度または１分に一回の頻度等で表示を更新することができる。
【０５１９】
ところで、例えば、発光素子を第２の表示素子に用いる場合、発光素子をパルス状に発光させて、画像情報を表示することができる。具体的には、パルス状に有機ＥＬ素子を発光させて、その残光を表示に用いることができる。有機ＥＬ素子は優れた周波数特性を備えるため、発光素子を駆動する時間を短縮し、消費電力を低減することができる場合がある。または、発熱が抑制されるため、発光素子の劣化を軽減することができる場合がある。
【０５２０】
＜第１の表示方法＞
具体的には、第１の表示素子７５０（ｉ，ｊ）を表示に用いる方法を、第１の表示方法に用いることができる。これにより、例えば、消費電力を低減することができる。または、明るい環境下において、高いコントラストで画像情報を良好に表示することができる。
【０５２１】
＜第２の表示方法＞
具体的には、第２の表示素子５５０（ｉ，ｊ）を表示に用いる方法を、第２の表示方法に用いることができる。これにより、例えば、暗い環境下で画像を良好に表示することができる。または、良好な色再現性で写真等を表示することができる。または、動きの速い動画を滑らかに表示することができる。
【０５２２】
なお、第２の表示素子５５０（ｉ，ｊ）を用いて画像を表示する場合、照度情報に基づいて画像を表示する明るさを決定することができる。例えば、照度が５千ルクス以上１０万ルクス未満の場合、照度が５千ルクス未満の場合より明るくなるように、第２の表示素子５５０（ｉ，ｊ）を用いて画像を表示する。
【０５２３】
＜第３の表示方法＞
具体的には、第１の表示素子７５０（ｉ，ｊ）および第２の表示素子５５０（ｉ，ｊ）を表示に用いる方法を、第３の表示方法に用いることができる。これにより、消費電力を低減することができる。または、暗い環境下で画像を良好に表示することができる。または、良好な色再現性で写真等を表示することができる。または、動きの速い動画を滑らかに表示することができる。
【０５２４】
ところで、第１の表示素子７５０（ｉ，ｊ）および第２の表示素子５５０（ｉ，ｊ）を表示に用いて、表示の明るさを調節する機能を、調光機能ということができる。例えば、反射型の表示素子の明るさを、光を射出する機能を備える表示素子を用いて補うことができる。
【０５２５】
また、第１の表示素子７５０（ｉ，ｊ）および第２の表示素子５５０（ｉ，ｊ）を表示に用いて、表示の色味を調節する機能を、調色機能ということができる。例えば、反射型の表示素子の色合いを、光を射出する機能を備える表示素子を用いて変えることができる。具体的には、反射型の液晶素子が表示する黄味を帯びた色合いを、青色の有機ＥＬ素子を用いて白色に近づけることができる。これにより、例えば、文字情報を普通紙に印刷された文字のように表示することができる。または、目にやさしい表示をすることができる。
【０５２６】
［第４のステップ］
第４のステップにおいて、終了命令が供給された場合は第５のステップに進み、終了命令が供給されなかった場合は第３のステップに進むように選択する（図２３（Ａ）（Ｓ４）参照）。
【０５２７】
例えば、割り込み処理において供給された終了命令を判断に用いてもよい。
【０５２８】
［第５のステップ］
第５のステップにおいて、終了する（図２３（Ａ）（Ｓ５）参照）。
【０５２９】
＜割り込み処理＞
割り込み処理は以下の第６のステップ乃至第８のステップを備える（図２３（Ｂ）参照）。
【０５３０】
［第６のステップ］
第６のステップにおいて、例えば、検知部２５０を用いて、情報処理装置２００が使用される環境の照度を検出する（図２３（Ｂ）（Ｓ６）参照）。なお、環境の照度に代えて環境光の色温度や色度を検出してもよい。
【０５３１】
［第７のステップ］
第７のステップにおいて、検出した照度情報に基づいて表示方法を決定する。例えば、照度が所定の値以上の場合に、第１の表示方法に決定し、照度が所定の値未満の場合、第２の表示方法に決定する。または、照度が所定の範囲の場合、第３の表示方法に決定してもよい（図２３（Ｂ）（Ｓ７）参照）。
【０５３２】
具体的には、照度が１０万ルクス以上の場合、第１の表示方法に決定し、照度が５千ルクス未満の場合、第２の表示方法に決定し、照度が１０万ルクス未満５千ルクス以上の場合、第３の表示方法に決定してもよい。
【０５３３】
なお、第６のステップにおいて環境光の色温度や環境光の色度を検出した場合は、第３の表示方法において第２の表示素子５５０（ｉ，ｊ）を用いて、表示の色味を調節してもよい。
【０５３４】
また、例えば、第１の表示方法を用いる場合は、第１のステータスの制御情報ＳＳを供給し、第２の表示方法を用いる場合は、第２のステータスの制御情報ＳＳを供給し、第３の表示方法を用いる場合は、第３のステータスの制御情報ＳＳを供給する。
【０５３５】
［第８のステップ］
第８のステップにおいて、割り込み処理を終了する（図２３（Ｂ）（Ｓ８）参照）。
【０５３６】
本発明の一態様の情報処理装置の別の構成について、図２４を参照しながら説明する。
【０５３７】
図２４は、本発明の一態様のプログラムを説明するフローチャートである。図２４は、図２３（Ｂ）に示す割り込み処理とは異なる割り込み処理を説明するフローチャートである。
【０５３８】
なお、情報処理装置の構成例３は、供給された所定のイベントに基づいて、モードを変更するステップを割り込み処理に有する点が、図２３（Ｂ）を参照しながら説明する割り込み処理とは異なる。ここでは、異なる部分について詳細に説明し、同様の構成を用いることができる部分について上記の説明を援用する。
【０５３９】
＜割り込み処理＞
割り込み処理は以下の第６のステップ乃至第８のステップを備える（図２４参照）。
【０５４０】
＜第６のステップ＞
第６のステップにおいて、所定のイベントが供給された場合は、第７のステップに進み、所定のイベントが供給されなかった場合は、第８のステップに進む（図２４（Ｕ６）参照）。例えば、所定の期間に所定のイベントが供給されたか否かを条件に用いることができる。具体的には、５秒以下、１秒以下または０．５秒以下好ましくは０．１秒以下であって０秒より長い期間を所定の期間とすることができる。
【０５４１】
＜第７のステップ＞
第７のステップにおいて、モードを変更する（図２４（Ｕ７）参照）。具体的には、第１のモードを選択していた場合は、第２のモードを選択し、第２のモードを選択していた場合は、第１のモードを選択する。
【０５４２】
＜第８のステップ＞
第８のステップにおいて、割り込み処理を終了する（図２４（Ｕ８）参照）。なお、主の処理を実行している期間に割り込み処理を繰り返し実行してもよい。
【０５４３】
なお、本実施の形態は、本明細書で示す他の実施の形態と適宜組み合わせることができる。
【０５４４】
（実施の形態８）
本実施の形態では、本発明の一態様の電子機器について、図面を用いて説明する。
【０５４５】
本発明の一態様の電子機器は、二次電池を有していてもよく、非接触電力伝送を用いて、二次電池を充電することができると好ましい。
【０５４６】
二次電池としては、例えば、ゲル状電解質を用いるリチウムポリマー電池（リチウムイオンポリマー電池）等のリチウムイオン二次電池、ニッケル水素電池、ニカド電池、有機ラジカル電池、鉛蓄電池、空気二次電池、ニッケル亜鉛電池、銀亜鉛電池などが挙げられる。
【０５４７】
本発明の一態様の電子機器は、アンテナを有していてもよい。アンテナで信号を受信することで、表示部で映像や情報等の表示を行うことができる。また、電子機器がアンテナ及び二次電池を有する場合、アンテナを、非接触電力伝送に用いてもよい。
【０５４８】
本発明の一態様の電子機器は、センサ（力、変位、位置、速度、加速度、角速度、回転数、距離、光、液、磁気、温度、化学物質、音声、時間、硬度、電場、電流、電圧、電力、放射線、流量、湿度、傾度、振動、においまたは赤外線を測定する機能を含むもの）を有していてもよい。
【０５４９】
本発明の一態様の電子機器は、様々な機能を有することができる。例えば、様々な情報（静止画、動画、テキスト画像など）を表示部に表示する機能、タッチパネル機能、カレンダー、日付または時刻などを表示する機能、様々なソフトウェア（プログラム）を実行する機能、無線通信機能、記録媒体に記録されているプログラムまたはデータを読み出す機能等を有することができる。
【０５５０】
さらに、複数の表示部を有する電子機器においては、一つの表示部を主として画像情報を表示し、別の一つの表示部を主として文字情報を表示する機能、または複数の表示部に視差を考慮した画像を表示することで立体的な画像を表示する機能等を有することができる。さらに、受像部を有する電子機器においては、静止画または動画を撮影する機能、撮影した画像を自動または手動で補正する機能、撮影した画像を記録媒体（外部または電子機器に内蔵）に保存する機能、撮影した画像を表示部に表示する機能等を有することができる。なお、本発明の一態様の電子機器が有する機能はこれらに限定されず、様々な機能を有することができる。
【０５５１】
図２５（Ａ）乃至（Ｉ）に、可撓性を有し、曲げることのできる表示部７００１を有する携帯情報端末の一例を示す。
【０５５２】
表示部７００１は、本発明の一態様の表示装置等を用いて作製される。例えば、曲率半径０．０１ｍｍ以上１５０ｍｍ以下で曲げることができる表示装置等を適用できる。また、表示部７００１はタッチセンサを備えていてもよく、指等で表示部７００１に触れることで携帯情報端末を操作することができる。本発明の一態様により、可撓性を有する表示部を備え、且つ信頼性の高い電子機器を提供できる。
【０５５３】
図２５（Ａ）、（Ｂ）は、携帯情報端末の一例を示す斜視図である。携帯情報端末７５００は、筐体７５０１、表示部７００１、引き出し部材７５０２、操作ボタン７５０３等を有する。
【０５５４】
携帯情報端末７５００は、筐体７５０１内にロール状に巻かれた可撓性を有する表示部７００１を有する。引き出し部材７５０２を用いて表示部７００１を引き出すことができる。
【０５５５】
また、携帯情報端末７５００は内蔵された制御部によって映像信号を受信可能で、受信した映像を表示部７００１に表示することができる。また、携帯情報端末７５００にはバッテリが内蔵されている。また、筐体７５０１にコネクターを接続する端子部を備え、映像信号及び電力を有線により外部から直接供給する構成としてもよい。
【０５５６】
また、操作ボタン７５０３によって、電源のＯＮ、ＯＦＦ動作や表示する映像の切り替え等を行うことができる。なお、図２５（Ａ）、（Ｂ）では、携帯情報端末７５００の側面に操作ボタン７５０３を配置する例を示すが、これに限られず、携帯情報端末７５００の表示面と同じ面（おもて面）や、裏面に配置してもよい。
【０５５７】
図２５（Ｂ）には、表示部７００１を引き出した状態の携帯情報端末７５００を示す。この状態で表示部７００１に映像を表示することができる。また、表示部７００１の一部がロール状に巻かれた図２５（Ａ）の状態と表示部７００１を引き出した図２５（Ｂ）の状態とで、携帯情報端末７５００が異なる表示を行う構成としてもよい。例えば、図２５（Ａ）の状態のときに、表示部７００１のロール状に巻かれた部分を非表示とすることで、携帯情報端末７５００の消費電力を下げることができる。
【０５５８】
なお、表示部７００１を引き出した際に表示部７００１の表示面が平面状となるように固定するため、表示部７００１の側部に補強のためのフレームを設けていてもよい。
【０５５９】
なお、この構成以外に、筐体にスピーカを設け、映像信号と共に受信した音声信号によって音声を出力する構成としてもよい。
【０５６０】
図２５（Ｃ）乃至（Ｅ）に、折りたたみ可能な携帯情報端末の一例を示す。図２５（Ｃ）では、展開した状態、図２５（Ｄ）では、展開した状態または折りたたんだ状態の一方から他方に変化する途中の状態、図２５（Ｅ）では、折りたたんだ状態の携帯情報端末７６００を示す。携帯情報端末７６００は、折りたたんだ状態では可搬性に優れ、展開した状態では、継ぎ目のない広い表示領域により一覧性に優れる。
【０５６１】
表示部７００１はヒンジ７６０２によって連結された３つの筐体７６０１に支持されている。ヒンジ７６０２を介して２つの筐体７６０１間を屈曲させることにより、携帯情報端末７６００を展開した状態から折りたたんだ状態に可逆的に変形させることができる。
【０５６２】
図２５（Ｆ）、（Ｇ）に、折りたたみ可能な携帯情報端末の一例を示す。図２５（Ｆ）では、表示部７００１が内側になるように折りたたんだ状態、図２５（Ｇ）では、表示部７００１が外側になるように折りたたんだ状態の携帯情報端末７６５０を示す。携帯情報端末７６５０は表示部７００１及び非表示部７６５１を有する。携帯情報端末７６５０を使用しない際に、表示部７００１が内側になるように折りたたむことで、表示部７００１の汚れ及び傷つきを抑制できる。
【０５６３】
図２５（Ｈ）に、可撓性を有する携帯情報端末の一例を示す。携帯情報端末７７００は、筐体７７０１及び表示部７００１を有する。さらに、入力手段であるボタン７７０３ａ、７７０３ｂ、音声出力手段であるスピーカ７７０４ａ、７７０４ｂ、外部接続ポート７７０５、マイク７７０６等を有していてもよい。また、携帯情報端末７７００は、可撓性を有するバッテリ７７０９を搭載することができる。バッテリ７７０９は例えば表示部７００１と重ねて配置してもよい。
【０５６４】
筐体７７０１、表示部７００１、及びバッテリ７７０９は可撓性を有する。そのため、携帯情報端末７７００を所望の形状に湾曲させること、及び携帯情報端末７７００に捻りを加えることが容易である。例えば、携帯情報端末７７００は、表示部７００１が内側または外側になるように折り曲げて使用することができる。または、携帯情報端末７７００をロール状に巻いた状態で使用することもできる。このように筐体７７０１及び表示部７００１を自由に変形することが可能であるため、携帯情報端末７７００は、落下した場合、または意図しない外力が加わった場合であっても、破損しにくいという利点がある。
【０５６５】
また、携帯情報端末７７００は軽量であるため、筐体７７０１の上部をクリップ等で把持してぶら下げて使用する、または、筐体７７０１を磁石等で壁面に固定して使用するなど、様々な状況において利便性良く使用することができる。
【０５６６】
図２５（Ｉ）に腕時計型の携帯情報端末の一例を示す。携帯情報端末７８００は、バンド７８０１、表示部７００１、入出力端子７８０２、操作ボタン７８０３等を有する。バンド７８０１は、筐体としての機能を有する。また、携帯情報端末７８００は、可撓性を有するバッテリ７８０５を搭載することができる。バッテリ７８０５は例えば表示部７００１またはバンド７８０１等と重ねて配置してもよい。
【０５６７】
バンド７８０１、表示部７００１、及びバッテリ７８０５は可撓性を有する。そのため、携帯情報端末７８００を所望の形状に湾曲させることが容易である。
【０５６８】
操作ボタン７８０３は、時刻設定のほか、電源のオン、オフ動作、無線通信のオン、オフ動作、マナーモードの実行及び解除、省電力モードの実行及び解除など、様々な機能を持たせることができる。例えば、携帯情報端末７８００に組み込まれたオペレーティングシステムにより、操作ボタン７８０３の機能を自由に設定することもできる。
【０５６９】
また、表示部７００１に表示されたアイコン７８０４に指等で触れることで、アプリケーションを起動することができる。
【０５７０】
また、携帯情報端末７８００は、通信規格に準拠した近距離無線通信を実行することが可能である。例えば無線通信可能なヘッドセットと相互通信することによって、ハンズフリーで通話することもできる。
【０５７１】
また、携帯情報端末７８００は入出力端子７８０２を有していてもよい。入出力端子７８０２を有する場合、他の情報端末とコネクターを介して直接データのやりとりを行うことができる。また入出力端子７８０２を介して充電を行うこともできる。なお、本実施の形態で例示する携帯情報端末の充電動作は、入出力端子を介さずに非接触電力伝送により行ってもよい。
【０５７２】
なお、本実施の形態は、本明細書で示す他の実施の形態と適宜組み合わせることができる。
【０５７３】
（実施の形態９）
本実施の形態では、本発明の一態様の情報処理装置を用いた、課金方法の構成について説明する。または本発明の一態様の、課金方法を有するサーバシステムについて説明する。
【０５７４】
上記の実施の形態で示すように、本発明の一態様の情報処理装置は、操作者が位置情報に関連付けられた第２の画像１２２を選択する際に、情報処理装置を折り曲げる入力手段を追加されたことで、操作性が向上され、利便性に優れている。
【０５７５】
ここでサーバＡが操作者の有する情報処理装置に、第２の画像１２２を発生させる条件と、第２の画像１２２に関連された処理と、を、情報処理装置の有する通信（送信および受信）手段を通して供給することができるものとする。サーバＡは、上記第２の画像１２２に関連された処理として、アプリケーションを起動する、機能を呼び出す、等を設定することができる。
【０５７６】
このときサーバＡは情報処理装置に対して入出力方法または表示方法に一部権限の制限を設け、操作者がその権限の制限を解除（すなわち権限の変更）をしたい場合に、課金により操作者から収益を上げることができる。
【０５７７】
上記権限の制限の方法は、時間制限、機能制限、など様々な設定が可能である。上記権限の制限の方法は例えば、情報処理装置が折り曲げられたときに第２の画像１２２が所定の位置に移動しない制限（すなわち移動する権限の制限）、情報処理装置が折り曲げられたときでも上記の第２の画像１２２の生成あるいは消去の判断が停止されない制限（すなわち情報処理装置が折り曲げられたときに停止される権限の制限）、上記所定の位置が操作者によって設定することができない制限（すなわち設定する権限の制限）、情報処理装置が折り曲げられた後に所定の時間が経過しないと第２の画像１２２が所定の位置に移動しない制限（すなわち情報処理装置が折り曲げられた直後に移動する権限の制限）、等が挙げられる。他、特定の第２の画像１２２は所定の位置に移動しない制限が挙げられる。
【０５７８】
上記権限の制限は、ゲームのソフトウェアを情報処理装置上にて使用する場合に有効である。例えば上記ソフトウェアでは、歩行中に第２の画像１２２が特定の短時間でのみ出現するため、第２の画像１２２の選択操作が容易ではないものとする。またこれを選択することで追加コンテンツが得られるものとする。このとき操作者は課金することにより、第２の画像１２２が特定の短時間でのみ出現したとしても、向上された操作性により、より効率良く第２の画像１２２を選択することができる。
【０５７９】
課金制度としては、従量制、定額制、定額従量制、従量課金上限制とすることができる。また、コンテンツ課金方式を取ることができる。このときサーバＡは例えば、課金情報の読み込み（図２６（Ａ）（Ｔ１）参照）を行い、課金額が既定条件に達しているかを判断（図２６（Ａ）（Ｔ２）参照）し、達していれば情報処理装置に権限の制限の解除を指示（図２６（Ａ）（Ｔ３）参照）し、達していなければ情報処理装置に権限の制限を指示（図２６（Ａ）（Ｔ４）参照）することができる。
【０５８０】
課金により解除される権限の制限は、課金額によって設定することができる。例えば課金額により、操作者の操作する情報処理装置において、入出力方法、画像生成方法、画像消去方法、画像移動方法、の一以上の権限の制限を変更（すなわち権限の変更）することができる。この制限は情報処理装置と、サーバＡとの通信により設定される。
【０５８１】
操作者８０１がサーバＡ８０２に権限の制限の解除８０３を請求するため、課金する方式の一つとして、インターネットで支払いが完了する決済方法が挙げられる（図２６（Ｂ）参照）。例えば、サーバＢ８０４が操作者（ユーザ）８０１から送付先住所及びクレジットカード番号情報を預かり、操作者８０１のサーバＢ８０４に対する課金依頼８０５により、サーバＡ８０２へ料金８０６の支払いを代行する決済方法が挙げられる。操作者８０１がサーバＢ８０４に対して課金を申し込むときの入力内容として、カード番号、有効期限、カード所有者の名前、セキュリティコード、セキュア認証、を必要としてもよい。他の課金方式として、自動引き落とし、銀行ネット決済、携帯キャリア決済、電子マネー決済（プリペイド方式またはポストペイ方式）、を用いても良い。
【０５８２】
なお、本実施の形態は、本明細書で示す他の実施の形態と適宜組み合わせることができる。
【符号の説明】
【０５８３】
ＢＭ    遮光膜
ＢＲ    導電膜
ＳＤ    駆動回路
ＧＤ    駆動回路
ＧＤＡ    駆動回路
ＧＤＢ    駆動回路
ＣＰ    導電材料
ＭＬ    検知信号線
ＡＮＯ    導電膜
ＳＳ    制御情報
Ｃ    電極
Ｍ    トランジスタ
ＭＤ    トランジスタ
ＣＳＣＯＭ    配線
ＡＣＦ１    導電材料
ＡＣＦ２    導電材料
ＡＦ１    配向膜
ＡＦ２    配向膜
Ｃ１１    容量素子
Ｃ１２    容量素子
ＣＦ１    着色膜
ＣＦ２    着色膜
Ｇ１    走査線
Ｇ２    走査線
ＫＢ１    構造体
Ｐ１    位置情報
Ｓ１    信号線
Ｓ２    信号線
ＳＤ１    駆動回路
ＳＤ２    駆動回路
ＳＥ１    検知情報
ＳＥ２    検知情報
ＳＥ３    検知情報
ＳＷ１    スイッチ
ＳＷ２    スイッチ
Ｖ１    画像情報
Ｖ２    画像情報
Ｖ１１    情報
Ｖ１２    情報
ＶＣＯＭ１    配線
ＶＣＯＭ２    導電膜
ＦＰＣ１    フレキシブルプリント基板
ＦＰＣ２    フレキシブルプリント基板
１０１    パネル基板
１０４−１    筐体
１０４−２    筐体
１０４−３    筐体
１０５−１    ヒンジ
１０５−２    ヒンジ
１２１    第１の画像
１２１Ａ    風景
１２１Ｂ    地図
１２１Ｃ    記号
１２２    画像
２２０    入出力装置
２３０    表示部
２３１    表示領域
２３４    展開回路
２３８    制御部
２４０    入力部
２４１    検知領域
３０１    表示部
３０２    画素
３０２Ｒ    副画素
３０２Ｇ    副画素
３０２Ｂ    副画素
３０２ｔ    トランジスタ
３０３ｇ    駆動回路
３０３ｓ    駆動回路
３０３ｔ    トランジスタ
３０８    撮像画素
３０８ｔ    トランジスタ
３１０    基板
３１０ｂ    基板
３１１    配線
３１９    端子
３２１    絶縁膜
３５１Ｒ    下部電極
３５２    上部電極
３６０    封止材
３７０    対向基板
４０１    領域
４０６    線分
４０７    線分
４０８    線分
５０１    表示部
５０１Ａ    絶縁膜
５０１Ｃ    絶縁膜
５０２Ｒ    副画素
５０２ｔ    トランジスタ
５０３ｔ    トランジスタ
５０４    導電膜
５０５    接合層
５０６    絶縁膜
５０８    半導体膜
５０８Ａ    領域
５０８Ｂ    領域
５０８Ｃ    領域
５１０    基板
５１０ｂ    基板
５１１    配線
５１１Ｂ    導電膜
５１１Ｃ    導電膜
５１１Ｄ    導電膜
５１２Ａ    導電膜
５１２Ｂ    導電膜
５１６    絶縁膜
５１８    絶縁膜
５１９    端子
５１９Ｂ    端子
５１９Ｃ    端子
５１９Ｄ    端子
５２０    機能層
５２１    絶縁膜
５２２    接続部
５２４    導電膜
５２８    絶縁膜
５３０    画素回路
５５０    第２の表示素子
５５１    電極
５５２    電極
５５３    発光性の材料を含む層
５５３（ｊ）    発光性の材料を含む層
５６０    封止材
５７０    基板
５７０ｂ    基板
５９０    基板
５９１    電極
５９１Ａ    開口部
５９１Ｂ    開口部
５９１Ｃ    開口部
５９２    電極
５９２Ａ    開口部
５９２Ｂ    開口部
５９２Ｃ    開口部
５９４    配線
５９８    配線
７００    表示パネル
７００Ｂ    表示パネル
７００ＴＰ２    入出力パネル
７０２    画素
７０２（ｉ，ｊ）    画素
７０５    封止材
７０６    絶縁膜
７１９    端子
７２０    機能層
７５０    第１の表示素子
７５１    電極
７５１Ｅ    領域
７５１Ｈ    開口部
７５２    電極
７５３    液晶材料を含む層
７５４Ａ    中間膜
７５４Ｂ    中間膜
７５４Ｃ    中間膜
７５４Ｄ    中間膜
７７０    基板
７７０Ｄ    機能膜
７７０Ｐ    機能膜
７７１    絶縁膜
７７５    検知素子
８０１    操作者
８０２    サーバＡ
８０３    制限の解除
８０４    サーバＢ
８０５    課金依頼
８０６    料金
７００１    表示部
７５００    携帯情報端末
７５０１    筐体
７５０２    部材
７５０３    操作ボタン
７６００    携帯情報端末
７６０１    筐体
７６０２    ヒンジ
７６５０    携帯情報端末
７６５１    非表示部
７７００    携帯情報端末
７７０１    筐体
７７０３ａ    ボタン
７７０３ｂ    ボタン
７７０４ａ    スピーカ
７７０４ｂ    スピーカ
７７０５    外部接続ポート
７７０６    マイク
７７０９    バッテリ
７８００    携帯情報端末
７８０２    入出力端子
７８０３    操作ボタン
７８０５    バッテリ
【図１】
2018037079.tif 000003
【図２】
2018037079.tif 000004
【図３】
2018037079.tif 000005
【図４】
2018037079.tif 000006
【図５】
2018037079.tif 000007
【図６】
2018037079.tif 000008
【図７】
2018037079.tif 000009
【図８】
2018037079.tif 000010
【図９】
2018037079.tif 000011
【図１０】
2018037079.tif 000012
【図１１】
2018037079.tif 000013
【図１２】
2018037079.tif 000014
【図１３】
2018037079.tif 000015
【図１４】
2018037079.tif 000016
【図１５】
2018037079.tif 000017
【図１６】
2018037079.tif 000018
【図１７】
2018037079.tif 000019
【図１８】
2018037079.tif 000020
【図１９】
2018037079.tif 000021
【図２０】
2018037079.tif 000022
【図２１】
2018037079.tif 000023
【図２２】
2018037079.tif 000024
【図２３】
2018037079.tif 000025
【図２４】
2018037079.tif 000026
【図２５】
2018037079.tif 000027
【図２６】
2018037079.tif 000028